(57)【要約】      （修正有）【課題】自動車の全自動無人システム走行及び全自動掃除機等の事故を未然に防ぎ、事故後の全自動対応を可能にし、事故後、道路地図上に設定してない自動車位置の全自動位置測定確認認識行動動作を可能にするＧＰＳを提供する。【解決手段】全自動無人走行自動車の一つの通常ＧＰＳに対して、自動車の前後左右に対して、前部分両サイド左右一カ所ずつと後部両サイド左右一カ所ずつに、異なった周波数の四個のＧＰＳ波が送受信出来るＧＰＳを一車の自動車に積載し、自動車位置を、道路地図上のどの位置からも、位置特定認識出来る。【選択図】図２
0003217135.tif 000002
【実用新案登録請求の範囲】
【請求項１】
全自動無人走行自動車の一つの通常ＧＰＳに対して、本考案は、自動車の前後左右に対して、前部分両サイド左右一カ所ずつと後部両サイド左右一カ所ずつに、異なった周波数つまり、四個のＧＰＳ波が、位置混乱指せない為の、一車の自動車に対して、四個の異なった周波数の送受信出来るＧＰＳを一車の自動車に積載した一車の自動車位置を、道路地図上のどの位置からも、位置特定認識作動説明出来る一車の自動車に対して、四個の異なった周波数の送受信出来るＧＰＳ送受信装置を全自動システム機械に設置する事を特徴とした全自動無人走行自動車システムの道路地図上に於いての道路位置特定擦る為の特殊四か所位置確認認識擦る為のＧＰＳ。
【考案の詳細な説明】
【技術分野】
【０００１】
本稿案は、日本国資金及び、都道府県市町村区資金の、底資金が無くなり、増税がメインと成る実社会の貴族資産族と低賃金社会生活の差を、食い止める為の、全自動機械介護装置主と成る全自動機械装置システム。
【背景技術】
【０００２】
本稿案の全自動機械装置システムは、特開２０１１―１０５３０７号の未来的電気自動車及び、特開２０１２―０５６５５８号のパワーアップハイブリッド車及び、特開２０１３―１０２６８８号の国の全額借金返済と都道府県市町村区の全額借金返済の為の多機能電気トラクターの著作権原本これらに、絶対必要視される、二基以上の人工衛星の打ち上げ、国税企業事業維持費を勝手に、著作権特許技術介入阻止対策作品だけでは、永遠の機械固定位置安全が望めなかった。
何故なら、問題視される機械位置は、特にカーナビゲイション取り付け一カ所位置では、微妙な位置の左右のズレの計算が出来ないカーナビゲイションでは、全自動自動車走行技術は、最終技術の物体とカメラの被写体距離技術を使い、正確に計算しなければ成らない為、特開２０１２―２１０７０３号の国の全額借金返済と都道府県市町村区の全額借金返済の為の多機能インプット全自動ロボットの著作権原本に記載されている全自動被写体形状認識装置と、全自動被写体距離認識装置の二つがなければ、車の道路上の位置認識を、擦る為のカメラ被写体形状認識及び、形状位置認識装置の答えも、既に、本考案者が、著作権特許技術として、公開公地技術と成って要る。
【０００３】
本稿案の全自動機械装置システムのカメラ被写体形状認識とは、暴風雪及び、暴風雪の前方が見えない時の対処技術として、旧技術の特開２０１２―１０８１４０号の国の全額借金返済と都道府県市町村区の全額借金返済の為の知的所有財産の化石燃料一切必要としないレントゲンカメラ放射線飛散防止パネル装置著作権原本に記載されている技術説明に成る。
【先行技術文献】
【特許文献】
【０００４】
【特許文献１】特許公開２０１５―１６７４７０号国の全額借金返済と都道府県市町村区の全額借金返済後に対して自給自足型の農業及び漁業及び林業及び中小企業が世界凸プの日本円銀行団体と世界最高銀行団体と成る為の完全自給自足物流システムに対しての知的所有財産を使った財団経営の未来的農業漁業林業一体型中小企業体システム。
【０００５】
【特許文献２】特開２０１４―００８０６２号の農業用地熱暖房パネル。公序良俗違反のため、不掲載とする。
【０００６】
【特許文献３】特開２０１３―２４２８８２号の国会議員が必ず読んで借金返済対策を決めなければ成らない国と都道府県市町村区の全額借金返済の為の著作権５０００図未満の公開文書図と著作権編集機著作権原本。（企業と国及び都道府県市町村が特許権で無い企業の特許提出によって著作権編集機著作権原本商品を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の新技術の著作権物技術。
【０００７】
【特許文献４】特開２０１３―２３４５７１号の未来の別の美瑛街に出来る世界遺産を目指す為の永遠に壊さないクリスタルダイヤガラスビルに伴う修身介護システムの著作権原本。
【０００８】
【特許文献５】特開２０１３―２０９７９２号の６５歳を過ぎてから使用する溶鉱炉及び陶器の火焼きに使用する耐熱エアー服と陶器ガラスの材料説明の著作権原本。
【０００９】
【特許文献６】特開２０１３―１７８８５３号の日本の弱者一人一人の財団設立後の日本の弱者一人一人の財団商品に貼られる全自動インターネット管理社会のカラー異種異形バーコードシステム。
【００１０】
【特許文献７】特開２０１３―１２７１４５号の国の全額借金返済と都道府県市町村区の全額借金返済の為の知的所有財産の稲の茎笹の茎ナイロン合成の固形窒素糸と果物粉末色を使用した冷却糸。（企業と国及び都道府県市町村が特許権で無い企業の特許提出によって稲の茎笹の茎ナイロン合成の固形窒素糸と果物粉末色を使用した冷却糸商品を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の著作権に成る。
【００１１】
【特許文献８】特開２０１３―１０２６８８号の国の全額借金返済と都道府県市町村区の全額借金返済の為の多機能電気トラクターの著作権原本。
【００１２】
【特許文献９】特開２０１３―０９４０５７号の国の全額借金返済と都道府県市町村区の全額借金返済の為の世界最速の超電導リニアモーターカーシステム全体の著作権発明原本。（企業と国及び都道府県市町村が特許権で無い企業の特許提出によって世界最速の超電導リニアモーターカーシステムの知的所有財産の技術を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の著作権原本。
【００１３】
【特許文献１０】特開２０１３―０９３８９６号の国の全額借金返済と都道府県市町村区の全額借金返済の為の著作権先技術主張の高出力高画質発電ビデオテレビシステム（軽水素トリチウム電子ガス入りのテレビビデオインターネット防犯の映像音声システムに対して企業側が、国と都道府県市町村区と世界特許権無しで、家電製品に軽水素トリチウム電子ガスの回路技術の勝手使用によって知的所有財産の技術横領共謀で国も都道府県市町村区も著作権盗作によって罰せられます。）。
【００１４】
【特許文献１１】特開２０１３―０９１５７０号の国の全額借金返済と都道府県市町村区の全額借金返済の為の知的所有財産の携帯電話及び携帯無線装置による非常停止非常制御操作出来るエレベーター磁極切り換えインバータ制御レールモーター装置の著作権原本。
【００１５】
【特許文献１２】特開２０１３―０９１３２３号の国の全額借金返済と都道府県市町村区の全額借金返済の為の知的所有財産の偽造防止紙幣硬貨原本。（企業と国及び都道府県市町村が特許権で無い企業の特許提出によって偽造防止紙幣硬貨の商品を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の著作権に成る。
【００１６】
【特許文献１３】特開２０１３―０９０９４８号の地方経営の医療施設の技術向上と国の全額借金返済と都道府県市町村区の全額借金返済の為の知的所有財産の圧電素子陽電子静電気及び圧電素子陰電子静電気細胞蘇生リバビリテイション装置著作権原本。（北海道知事著作権郵便物受理書付）
【００１７】
【特許文献１４】特開２０１３―０８３２６８号の地方の売電利益を、上げる為と海外水力と火力と原子力発電の高出力ダイナモの増量発電技術の海外売電契約の国と都道府県市町村の全額借金返済の為の決定的な電力不足を、補う為の一般に知られて入る半永久の水力ダムの高出力ダイナモ積載の増幅発電型の半永久型の水循環増幅発電システム。
【００１８】
【特許文献１５】特開２０１３―０８２４４８号の国の全額借金返済と都道府県市町村区の全額借金返済の為の知的所有財産の山岳ヘリコプターの著作権原本。（企業と国及び都道府県市町村が特許権で無い企業の特許提出によって山岳ヘリコプターを、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の著作権原本。
【００１９】
【特許文献１６】特開２０１３―０７８６５６号の地方経営の工場の国の全額借金返済と都道府県市町村区の全額借金返済の為の無知的所有財産のスピーカー振動ゴミ取り機能付き掃除機著作権原本。
【００２０】
【特許文献１７】特開２０１３―０７７５７６号の国の全額借金返済と都道府県市町村区の全額借金返済の為の知的所有財産のバッテリー再復活充電バッテリー装置の著作権原本。（企業と国及び都道府県市町村が特許権で無い企業の特許提出によってバッテリー再復活充電バッテリー装置の商品を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の著作権に成る。
【００２１】
【特許文献１８】特開２０１３―０７０６１８号の国の全額借金返済と都道府県市町村区の全額借金返済の為の世界最速ウルトラスーパーコンピューター装置の著作権原本と著作権追加原本。（企業と国及び都道府県市町村が特許権で無い企業の特許提出によって世界最速ウルトラスーパーコンピューター装置の商品を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の先著作権技術主張の知的所有財産の著作権に成る。
【００２２】
【特許文献１９】特開２０１３―０６７６５４号の国の全額借金返済と都道府県市町村区の全額借金返済の為の知的所有財産の夏専用の果物香料入り冷却ファンドクリームと冬専用の果物香料入りの暖房ファンドクリームの著作権原本。（企業と国及び都道府県市町村が特許権で無い企業の特許提出によって夏専用の果物香料入り冷却ファンドクリームと冬専用の果物香料入りの暖房ファンドクリームの著作権原本商品を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の著作権技術文書図主張の知的所有財産の著作権に成る。
【００２３】
【特許文献２０】特開２０１２―２３６６０６号の国の全額借金返済と都道府県市町村区の全額借金返済の為の知的所有財産の多機能電気観光船著作権原本。
【００２４】
【特許文献２１】特開２０１２―２３６６０５号の国の全額借金返済と都道府県市町村区の全額借金返済の為の知的所有財産の多機能電気モータープロペラ飛行機原本。
【００２５】
【特許文献２２】特開２０１２―２１０７０３号の国の全額借金返済と都道府県市町村区の全額借金返済の為の多機能インプット全自動ロボットの著作権原本。
【００２６】
【特許文献２３】特開２０１２―１８７００１号のテレビ局の目と有識者の目と大学教授の目と共に国民の電気エネルギー危機の再チェックと試作が必要と思われる電力不足危機対応の対策案の為に公開する、国の危機の全額借金返済の為の新２連振子型機械式無害無給油無休憩発電機。（半永久連続作動発電機。）。
【００２７】
【特許文献２４】特開２０１２―１７００６３号の国の全額借金返済と都道府県市町村区の全額借金返済の為の知的所有財産の圧電素子補助急速充電携帯電話著作権原本。
【００２８】
【特許文献２５】特開２０１２―１６６９５１号の国の全額借金返済と都道府県市町村区の全額借金返済の為の知的所有財産の生ゴミ真空装置粉末処理車著作権原本。
【００２９】
【特許文献２６】特開２０１２―１４０５８４号の国の全額借金返済と都道府県市町村区の全額借金返済の為の炭素固形フロン著作権原本。
【００３０】
【特許文献２７】特開２０１２―１２０４４０号の国の全額借金返済と都道府県市町村区の全額借金返済の為の多機能電気自動車著作権原本。
【００３１】
【特許文献２８】特開２０１２―１１６７２７号の国の全額借金返済と都道府県市町村区の全額借金返済の為の知的所有財産の最速スクリュー水電気消防装置著作権原本。
【００３２】
【特許文献２９】特開２０１２―１０８１４０号の国の全額借金返済と都道府県市町村区の全額借金返済の為の知的所有財産の化石燃料一切必要としないレントゲンカメラ放射線飛散防止パネル装置著作権原本。
【００３３】
【特許文献３０】特開２０１２―１０１７９０号の国の全額借金返済と都道府県市町村区の全額借金返済の為の知的所有財産のワンタッチ全自動エアー浮輪著作権原本。
【００３４】
【特許文献３１】特開２０１２―０９９５０６号の燃料電池発電機と総合発電量の競争を含めた国の全額借金返済と都道府県市町村区の全額借金返済の為の知的所有財産の五種類の半永久発電装置を内蔵積載した軽水素入りの水循環発電型の燃料電池発電機著作権原本（別名高出力水発電機。）。
【００３５】
【特許文献３２】特開２０１２―０９７５５９号の国の全額借金返済と都道府県市町村区の全額借金返済の為の知的所有財産の化石燃料一切必要としない高速瞬間気化処理除雪車著作権原本。
【００３６】
【特許文献３３】特開２０１２―０９７５５８号の国の全額借金返済と都道府県市町村区の全額借金返済の為の知的所有財産の固形窒素プラスチックグラスフアイバーパネル著作権原本。
【００３７】
【特許文献３４】特開２０１２―０９４５４８号の国の全額借金返済と都道府県市町村区の全額借金返済の為の知的所有財産の光りフアイバーブラウン官テレビ著作権原本。
【００３８】
【特許文献３５】特開２０１２―０７７６０７号の国の全額借金返済と都道府県市町村区の全額借金返済の為の知的所有財産のヘドロ処理運搬車装置の著作権原本コメント２００８年８月２４日ＰＭ２０時２２分３３秒ヘドロ処理運搬車の図面を漸く書き終え再び書き始める美馬牛カンキチ。
【００３９】
【特許文献３６】特開２０１２―０５６５５８号のパワーアップハイブリッド車。
【００４０】
【特許文献３７】特開２０１２―０５２７８８号の国の全額借金返済と都道府県市町村区の全額借金返済の為の知的所有財産の化石燃料一切必要としない電気ストーブ著作権原本。
【００４１】
【特許文献３８】特開２０１２―０１１２１１号の国の全額借金返済と都道府県市町村区の全額借金返済の為の全自動最速電気洗濯乾燥機著作権原本。
【００４２】
【特許文献３９】特開２０１１―２３３２２８号の多機能ビデオ著作権原本。
【００４３】
【特許文献４０】特開２０１１―２１５１４８号の電子熱核燃料原石核融合発電と放射能廃棄物処理方法。
【００４４】
【特許文献４１】特開２０１１―２０９２９０号の多目的カーナビゲイション著作権原本と都道府県市町村区と国の全額借金返済と弱者自立社会を目指す為の２００１年からの道民財産著作権原本。
【００４５】
【特許文献４２】特開２０１１―２０５８９５号の多機能情報冷暖房無休憩発電機（原子力事故及び地震事故対応型。）。（無害無給油の無休憩の半永久全自動作動発電機型。）。
【００４６】
【特許文献４３】特開２０１１―２０５６７５号の多機能携帯電話装置原本。
【００４７】
【特許文献４４】特開２０１１―２０２４９８号の一戸建て免震装置著作権原本及び国の全額借金返済と都道府県市町村区の全額借金返済と弱者自立と救済の著作権技術説明の２００１年からの道民財産著作権。
【００４８】
【特許文献４５】特開２０１１―１５５２６７号の超軽量高出力発電人工衛星。
【００４９】
【特許文献４６】特開２０１１―１０５３０７号の未来的電気自動車。
【００５０】
【特許文献４７】特開２０１１―０６４０６０号の日本の弱者国民救済の地震対応型の多機能発電ハウスシステム。
【００５１】
【特許文献４８】特開２０１１―０６０２９４号の発電タッチパソコン。
【００５２】
【特許文献４９】特開２０１０―１７１９４３号の多機能新技術携帯電話。
【００５３】
【特許文献５０】特開２０１０―１６５３５５号の国の９００兆円越えの借金全額返済の為の世界最新の公共事業対策装置。
【００５４】
【特許文献５１】特開２００６―２５４６９７号の全レールモーター制御無害無給油発電機を使用した電気自動車。
【００５５】
【特許文献５２】特開２００４―３０４９９３号の一度に複数の電気配線と複数の電気コイルを持ち得て焼けないで力のあるモーターの有り方。
【００５６】
【特許文献５３】特開２００４―３０４９９２号公報の圧電素子３電子磁気分割装置の電気から熱抵抗電気を減らして電気を長持ちさせて、電気製品に無理をかけない電気装置の有り方（別名圧電素子４電子磁気分割装置。）。
【００５７】
【特許文献５４】特開２００４―１３５４８０号の自動充電池。
【００５８】
【特許文献５５】特開２００３―３２８９２５号の真空装置と機械式発電機を使った水だけの発電機。
【００５９】
【特許文献５６】登録実用新案第３１６８０４３号高出力発電７連結以上モーター。
【００６０】
【特許文献５７】登録実用新案第３１４５９６３号省エネルギー水気化水発電機（別名水発電機。）。
【００６１】
【特許文献５８】登録実用新案第３１１４４９１号二連結以上モーター。
【００６２】
【特許文献５９】登録実用新案第３２０３１０６号の国の全額借金返済と都道府県市町村区の全額借金返済に対して知事の回答が無い対策として、時効の無い国の借金返済対策として美瑛まちの庶民全体の生活権維持を守る為の知的所有財産の著作権活用と先著作権技術主張を美瑛まちが優先し、電気スピードと同じ速さで電気を流す事の出来る高出力銅筒管コイル配線と無金属二重配線に対しての知的所有財産の盗作防止の為の先著作権活用公開技術。
【００６３】
【特許文献６０】登録実用新案第３２０３１０５号の国の全額借金返済と都道府県市町村区の全額借金返済の為の日本国内で販売されている商品に対しての国内特許権番号の明示義務と海外輸出商品に対しての海外国の特許権番号明示義務と海外審査請求の番号を商品自体に明示で無く完全な商品販売に対しての商品のパンフレット特許番号記載説明書とインターネット特許番号記載義務と審査請求書記載義務と新聞のチラシいずれかの特許権番号の記載義務とテレビ局宣伝部の知的所有権の特許権データ集計管理書の特許権番号記載義務に対して知的所有財産の番号の明示義務として、法人税の国の収集を多くし個人資産の不当の商品の値段に対して騙されない様にする対策の無料の特許権番号公開で無ければ、不正競争防止法の罰金の１００倍を日本国税収不足分として国会で国税と通常個人賠償として決めて貰う事にして技術横領行為に対して国税を主な国の税金の収集源とするテレビ画像の新作パネルの低価格テレビの最初の著作権者との特許権切れに対しての新技術特許権切れの著作権契約から始まる商品作り説明。
【特許文献６１】登録実用新案第３２０６０６５号の国の全額借金返済擦る事と農業漁業林業中小企業の自給自足社会と共産党時代から続く企業資産の上の農業漁業林業中小企業合併の世界一銀行を作る為の高出力六角形状圧電素子連結発電回路型コイル無ライトレールモーターシステム装置
【００６４】
【考案の概要】
【考案が解決しようとする課題】
【００６５】
以上述べた従来の全自動システムでは、機体及び、機械に対しての位置確認が一点の為、機体の方向性及び機械の方向性向きが、最初の設定方向のみに制限される為、機体回転及び機械回転及び、機械事故に於いて、全自動処理が不可能に成り、全自動自動車走行では、大きな自動車事故の要因に成り、全自動掃除機では、掃除の取りこぼし事故に成るおそれが今後の、未来全自動機械及び、ロボット等の安全装置を使った製品が、全世界の市場を占める事に成る事が低価格時代に対して先がけ考えられる全自動市場の問題点の一つで有る。
【００６６】
本考案は、全自動機械に絶対必要視される電気エネルギーの供給装置に対して、従来までの二連振り子機械式発電機に対して、高出力ダイナモを二台積載しても、総合発電電気量が、不足する理由として、人の言葉を、マイクとカメラの口の動き及び、人の皮膚の電子カメラデーター比較認識技術及び、室内の物体の役割認識及び、突然の来客の接待を擦る為、莫大なデータ収集を余儀なく去れる未来社会時代に成り、高出力二連振り子機械式発電機の振り子数を増やす事で、総合発電量を増やす事に心掛け、最新技術の本著作権者実用新案登録済みの高出力発電回路を、使用積載した全自動機械及び全自動ロボットに成る。
【００６７】
更に、本考案の全自動システムでは、モーターを、多く使用擦る為、電気総合消費量が、更に多く成る為、高出力レールモーターの更なる改良型が、本考案者作品の高出力コイル無レールモーターを使用積載した、全自動システムを使用した家電の電気消費に対しての、構造部の名称説明に成る。
【００６８】
そして、本考案は、日本国の１０００兆円超えの借金返済に対して、一般家庭の共働きが、一般常識に成る時代に、於いて、全自動家電システムは、昭和の時代の洗濯機及び冷蔵庫及びテレビの第一号機時代のおお売れ時代の再来と成り得る、家事仕事全般を、全自動機械家電が、全てを賄う事に成る。
【考案を解決するための手段】
【００６９】
そして、本考案は、上記目的を、達成擦る為に、特開２０１２―１８７００１号のテレビ局の目と有識者の目と大学教授の目と共に国民の電気エネルギー危機の再チェックと試作が必要と思われる電力不足危機対応の対策案の為に技術公開する、国の危機の全額借金返済の為の新２連振子型機械式無害無給油無休憩発電機。（半永久連続作動発電機。）の振り子を、チタン合金板に、竹灰入り窒素プラスチックカバーを掛ける筝に拠って、チタン合金板を、薄くし、複数の穴あき状態にした部品に対して、竹灰入り窒素プラスチックカバーコーティングした超軽量振り子装置を、使用し、ダイナモに対しても、通常ダイナモの改良型として、圧電素子磁石体入りダイナモ初期型に対しての改良型として、軽水素入り圧電素子磁石体粒子入りダイナモに変化して、最終的に、高出力六角形状圧電素子連結発電回路型内蔵型ダイナモ装置に増量発電変化構造改良型に成る高出力ダイナモ発電装置を使用積載して入る自動車及び機械及び電気製品のデータ入力方式及びデータを、全自動地図書き込み等に拠る全自動作動データ自己作成型の自動車及び機械及び電気製品等の、ＧＰＳ位置四角四点以上全自動確認認識作動装置に成る。
【００７０】
更に、登録実用新案第３２０６０６５号の国の全額借金返済擦る事と農業漁業林業中小企業の自給自足社会と共産党時代から続く企業資産の上の農業漁業林業中小企業合併の世界一銀行を作る為の高出力六角形状圧電素子連結発電回路型コイル無ライトレールモーターシステム装置登録済の世界初の、モーター内部から、モーターコイルを無くしたコイル無モーター又は、電気不足を解決した実用新案登録商標公開済のコイル無回転装置積載の自動車及び機械及び電気製品等に成る。
【００７１】
そして、最大の特徴としては、全自動システムに、対する自動車及び機械及び電気製品等の、ＧＰＳ位置確認装置は、現況の自動車及び機械及び電気製品等のＧＰＳ位置確認装置一点つまり、位置確認一つに対して、自動車及び機械及び電気製品等の商品一つに対して、四角四か所以上のＧＰＳ位置確認装置として、四点四個の単独のＧＰＳ位置確認送受信装置を、自動車及び機械及び電気製品等の商品一つに対して、最低四角四個の単独ＧＰＳ送受信装置を、四角四個以上備え積載した全自動システムに擦る事で、自動車等の事故に拠る道路上の位置確認の不正確差を、誤差ゼロに擦る事に拠って、全自動システムに、対する自動車及び機械及び電気製品等の安全に対する問題点を、解決して居る。
【考案の効果】
【００７２】
上述の様に、本考案の全自動家電と称する製品一つ個体に対するＧＰＳ位置確認装置は、家電装置一個体の四角に四か所以上の単独のＧＰＳ位置確認装置四個以上積載した、全自動家電等の走行地図位置全自動位置確認に対する、地図位置誤差ゼロを、目的とした、全自動ＧＰＳ位置確認認識作動単独装置を、一つ家電装置四角其々に、単独独立した、ＧＰＳ位置確認認識作動装置の、誤差全自動ゼロ修正装置を、積載する事に拠って、家電装置の室内地図移動位置の誤差ゼロとして、役立つ事と一般家庭の部屋模様変え移動家電の、安全性を、第一とした全自動家電の四角四点以上の全自動ＧＰＳ位置確認認識作動単独装置を、一つ家電装置四角其々に一つ積載の合計四個備え積載装置としたＧＰＳ室内地図位置誤差ゼロ確認認識作動装置に成る。
【産業上の利用可能性】
【００７３】
本考案の、一つ家電装置四角其々に一つ積載の合計四個備え積載装置としたＧＰＳ室内地図位置誤差ゼロ確認認識作動装置は、一つの家電装置は、ＧＰＳ位置確認装置一つに対して、本考案は、室内地図の位置の地図位置ゼロ誤差を、目的とした考案装置の単独した全自動ＧＰＳ送受信装置を、一つの家電の四角其々に、一個ずつの単独したＧＰＳを四角其々に一個ずつ積載した、地図位置全自動確認認識作動装置に成る。
従って、全自動走行の自動車は、通常は、一つのＧＰＳ送受信装置を、積載したのがＧＰＳカーナビゲーションシステムに成るが、自動車事故に対しての、道路上のＧＰＳ地図位置全自動確認に対して、地図位置誤差が、十字路の左右移動時の、全自動位置確認が、不正確なのが明白な為、自動車事故に対しての全自動処理が出来なく成るのが、明白な為、本考案の、一つ家電装置四角其々に一つ積載の合計四個備え積載装置としたＧＰＳ室内地図位置誤差ゼロ確認認識作動装置の、全自動技術著作権と全自動安全走行事故処理対応性と、自動車事故を、如何にして少なく擦る為の本考案の全自動家電と称する製品一つ個体に対するＧＰＳ位置確認装置は、家電装置一個体の四角に四か所以上の単独のＧＰＳ位置確認装置四個以上積載した、全自動家電等の走行地図位置全自動位置確認認識作動装置に成る。
この他の、（特許文献５１）特開２００６―２５４６９７号の全レールモーター制御無害無給油発電機を使用した電気自動車及び、（特許文献４６）特開２０１１―１０５３０７号の未来的電気自動車及び、（特許文献４１）特開２０１１―２０９２９０号の多目的カーナビゲイション著作権原本と都道府県市町村区と国の全額借金返済と弱者自立社会を目指す為の２００１年からの道民財産著作権原本。及び、（特許文献２７）特開２０１２―１２０４４０号の国の全額借金返済と都道府県市町村区の全額借金返済の為の多機能電気自動車著作権原本及び、（特許文献３６）特開２０１２―０５６５５８号のパワーアップハイブリッド車及び、（特許文献８）特開２０１３―１０２６８８号の国の全額借金返済と都道府県市町村区の全額借金返済の為の多機能電気トラクターの著作権原本等の、特に自動車の全自動走行に欠かせない安全装置として、サイド多機能ガンマーレントゲン放射線飛散防止パネルカメラに拠る、積雪した公道及び世界中の道路の人の目で視界確認出来ない場所の道路上の白線を、積雪白線及び、降雨時の白線確認及び、黄砂時の視界ゼロの白線確認及び、大量の煙に拠る道路走行不可能事の道路白線の全自動確認装置及び、視界ゼロの自動車の前後左右上下の視界ゼロ時の全自動対物としての、自動車及びバイク及び自転車及び人及び動物等との距離を、多機能ガンマーレントゲン放射線飛散防止パネルカメラに拠って、自動車との対物距離を、全自動計測して、停止及び道路走行の譲り及び、車間距離を、取った自動車の全自動追い抜きシステム及び、全自動ＧＰＳ位置確認文字連絡及び、無線作り設定音声連絡等に拠る、安全な全自動追い抜き等に対する、道路上の全自動移動処理技術に於いて、他社の全自動走行運転の、電波センサーとＧＰＳカーナビゲイション技術を含めた自動車の全自動走行技術に対応した、まったく別の全自動走行技術の一つ家電装置四角其々に一つ積載の合計四個備え積載装置としたＧＰＳ室内地図位置誤差ゼロ確認認識作動装置を、応用積載した自動車四角其々に一つ積載の合計四個備え積載装置としたＧＰＳ道路地図位置誤差ゼロ確認認識作動装置に成り、二重の道路上の地図位置全自動確認装置に成り、他社と異なるスクリュー電波の対物距離の電波反射跳ね返り電波の全自動送受信装置及び、将来的な、移動対物に完全積載義務な、スクリュー電波及びスクリュー無線波の受信距離全自動連絡装置に、拠る道路上のスクリュー無線波受信距離位置全自動連絡装置等が、今後の第三の全自動走行装置としての、安全装置を、消費者以外の誰が、全自動走行とは無関係の自動車及びバイク及び自転車及び人に積載擦る位置確認装置に更なるスクリュー無線波の位置全自動確認返信装置に拠る道路上に存在する人との距離を全自動計測擦る為の装置に成る。
しかしながら、全自動運転走行を、全て完璧に行えるとしたら、（特許文献１）特許公開２０１５―１６７４７０号国の全額借金返済と都道府県市町村区の全額借金返済後に対して自給自足型の農業及び漁業及び林業及び中小企業が世界凸プの日本円銀行団体と世界最高銀行団体と成る為の完全自給自足物流システムに対しての知的所有財産を使った財団経営の未来的農業漁業林業一体型中小企業体システムの様な、街全体を、永久に建て直さない街等では、全自動走行の電気自動車は効果的だが、全自動走行自動車技術の（産業上の利用可能性）としては、補助自動運転技術として、自動車事故撲滅運動として、本著作権者が、目的と擦る低価格電気自動車を、使用積載した自動車事故撲滅運動技術説明の本考案の、一つ家電装置四角其々に一つ積載の合計四個備え積載装置としたＧＰＳ室内地図位置誤差ゼロ確認認識作動装置を積載した場合の全自動走行補助装置説明に成る。
【００７４】
（産業上の利用可能性）の第二番目として、（特許文献８）特開２０１３―１０２６８８号の国の全額借金返済と都道府県市町村区の全額借金返済の為の多機能電気トラクターの著作権原本の、全自動走行作業の、農業機械の全自動作業に対する農耕地地図に対する、農作物の種子全自動植え付け作業及び、苗植え付け全自動作業に、於いて、植え付けた植物を、一切傷めないで、全自動農作物植え付け管理及び消毒管理及び、収穫管理を、全て、ボタン一つと農作物育成位置データに基づく全自動農作物収穫管理に於いて、本考案の、一つ家電装置四角其々に一つ積載の合計四個備え積載装置としたＧＰＳ室内地図位置誤差ゼロ確認認識作動装置は、全自動トラクターの農耕地植物育成の全自動保護技術として、農作植物の植え付けデータ及び農作収穫作物を、如何に傷めないで収穫擦る為に必要視去れる本考案の、一つ家電装置四角其々に一つ積載の合計四個備え積載装置としたＧＰＳ室内地図位置誤差ゼロ確認認識作動装置に成り、全自動走行自動車技術に、略、同じ全自動カメラの植物植生技術の位置全自動確認に伴う農耕地の全自動機械の位置走行地図位置確認装置に、絶対必要視去れるのが、農耕地の傾斜地での農作物の全自動種子植え付け育成収穫技術説明の応用技術に成る。  
【００７５】
（産業上の利用可能性）の第三番目として、（特許文献２０）特開２０１２―２３６６０６号の国の全額借金返済と都道府県市町村区の全額借金返済の為の知的所有財産の多機能電気観光船著作権原本に対して、海底地図として、（特許文献２２）特開２０１２―２１０７０３号の国の全額借金返済と都道府県市町村区の全額借金返済の為の多機能インプット全自動ロボットの著作権原本の全自動水中ロボットを、使って、海底実写写真地図を作って、更に、（特許文献１５）特開２０１３―０８２４４８号の国の全額借金返済と都道府県市町村区の全額借金返済の為の知的所有財産の山岳ヘリコプターの著作権原本。（企業と国及び都道府県市町村が特許権で無い企業の特許提出によって山岳ヘリコプターを、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の著作権原本の山岳ヘリコプターに、レントゲン放射線飛散防止ガンマ粒子入りパネル付きカメラを使って、海底土質地図などを、作成後に海底海上世界地図を作り上げた上で、海上の船の安全を図る為に、海上地図ＧＰＳを、作り上げると同時に、船の安全最重視の為に、本考案の全自動家電と称する製品一つ個体に対するＧＰＳ位置確認装置は、家電装置一個体の四角に四か所以上の単独のＧＰＳ位置確認装置四個以上積載した四個以上の海上ＧＰＳを、（特許文献２０）特開２０１２―２３６６０６号の国の全額借金返済と都道府県市町村区の全額借金返済の為の知的所有財産の多機能電気観光船等に積載擦る事で、船の運航の安全を図る。
【００７６】
（産業上の利用可能性）の第四番目として、（特許文献２１）特開２０１２―２３６６０５号の国の全額借金返済と都道府県市町村区の全額借金返済の為の知的所有財産の多機能電気モータープロペラ飛行機原本の飛行機ＧＰＳに対して、ニアミス等の事故を、完全に無くす為に、同じく本考案の、一つ家電装置四角其々に一つ積載の合計四個備え積載装置としたＧＰＳ室内地図位置誤差ゼロ確認認識作動装置は、一つの家電装置は、ＧＰＳ位置確認装置一つに対して、本考案は、室内地図の位置の地図位置ゼロ誤差を、目的とした考案装置の単独した全自動ＧＰＳ送受信装置を、一つの家電の四角其々に、一個ずつの単独したＧＰＳを四角其々に一個ずつ積載した、地図位置全自動確認認識作動装置を、飛行機ＧＰＳとして使用積載擦る事と、（特許文献２９）特開２０１２―１０８１４０号の国の全額借金返済と都道府県市町村区の全額借金返済の為の知的所有財産の化石燃料一切必要としないレントゲンカメラ放射線飛散防止パネル装置著作権原本を複数望遠カメラに積載して、空の飛行機の運航を、レントゲンパネルガンマー放射線飛散防止カメラを使って、空の飛行機運行を守る為の安全装置に成る。
【００７７】
（産業上の利用可能性）の第五番目として、（特許文献２２）特開２０１２―２１０７０３号の国の全額借金返済と都道府県市町村区の全額借金返済の為の多機能インプット全自動ロボットに対して、本考案の、一つ家電装置四角其々に一つ積載の合計四個備え積載装置としたＧＰＳ室内地図位置誤差ゼロ確認認識作動装置は、一つの家電装置は、ＧＰＳ位置確認装置一つに対して、本考案は、室内地図の位置の地図位置ゼロ誤差を、目的とした考案装置の単独した全自動ＧＰＳ送受信装置を、一つの家電の四角其々に、一個ずつの単独したＧＰＳを四角其々に一個ずつ積載した、地図位置全自動確認認識作動装置は、多機能インプット全自動ロボットの手足其々一個ずつの四個とロボットヘットに一つと腰に一つの合計、六個の単独した送受信電波波長数値を、持ちえた多機能インプット全自動ロボットの全ての動き動作位置を、記録出来るＧＰＳ全自動ロボット地図書き込み機能を持ちえた全自動ロボットに成り、最低二基の超小型山岳ヘリコプターに拠って室内を、山岳ヘリコブター全自動位置リモートコントロールして、自由に動ける多機能インプット全自動ロボット。
【図面の簡単な説明】
【００７８】
【図１】本発明の 全自動システムに対しての参考説明図に於いての全自動水中ロボットの水中８点水中位置全自動水中ロボットの動作位置のミリメートル範囲の水中ロボット位置を全自動連絡擦る為の水中段数ソナー送受信水中位置連絡装置と海上ソナー送受信水中位置連絡装置と人工衛星の位置連絡システムに対して、複数の水中段数ソナー送受信水中位置連絡装置と海上ソナー送受信水中位置連絡装置の位置関係説明参考図。
【図２】本発明の 全自動システムに対しての特開２０１１―１０５３０７号の未来的電気自動車の改良型に成る全自動走行自動車の最新技術の参考図に成り、此処での全自動走行自動車のＧＰＳ位置は、最低で、四か所の四角の自動車固定位置が必要に成り、故障を考えた場合は、最低五か所以上の自動車及び電気自動車の固定位置と高い山に建てられるＧＰＳ電波中継鉄塔及び高層ビルに建てられるＧＰＳ電波中継鉄塔と自動車の固定五個の位置に対しての、三角点確定ＧＰＳ位置を特定擦る為の、高出力六角形状圧電素子連結発電回路シート内蔵型ソーラーパネル人工衛星と複数電波受信発電回路内蔵装置設置の高出力六角形状圧電素子連結発電回路シート電波受信Ｗ発電型簡易ソーラーパネル補助発電式ソーラーパネル人工衛星を使った最低二基の人工衛星を必要と擦る二重の安全対策の全自動走行自動車の位置を特定擦る為の二基の人工衛星と電波中継鉄塔の三角点位置の在り方として、全自動走行に必要な二重三重の安全な位置の特定の在り方説明に成る。
【図３】本発明の 全自動システムに対しての全自動システムトレーラーの八箇所から十箇所の全自動特定ＧＰＳ位置の説明に成り、高出力六角形状圧電素子連結発電回路シート内蔵型ソーラーパネル人工衛星とＧＰＳ全自動スクリュー電波中継再生プラスチックビニールゴム芯入り鉄塔と高出力ソーラーパネル人工衛星Ｂを使った全自動システムトレーラーの八箇所から十箇所の全自動特定ＧＰＳ位置に成り、トレーラーの曲線カーブ車体位置を全自動計測擦る為の八箇所の特定固定位置の三角点位置の出し方を説明した全自動システムの参考図。
【図４】本発明の 全自動システムに対しての全自動建設機械の七カ所ＧＰＳの位置の出し方を説明した装置に成り、高出力人工衛星と高出力山岳ヘリコプターＧＰＳ波中継装置を使った七カ所ＧＰＳの三角点位置の在り方説明に成り、街の一角の敷地に対して、カードツースインプットボタン設定作業工程を全自動建設機械の複数の建設機械機種に拠って、建設土木工事を行う為の基本ＧＰＳ位置の特定固定位置の出し方説明参考図。
【図５】本発明の 全自動システムに対しての特に前後左右上下の実写位置を被写体カラー色形状の全自動位置確認とチェック確認するための複数カラーライン接点全自動位置確認認識カメラ装置に成り、特徴として、アクリルパネル内蔵型の上下一部分を魚眼レンズの中央に突レンズを一体連結レンズ構造にした突レンズ被写体部分に回りの景色までを一度に全自動確認出来るカメラレンズを内蔵させた高出力六角形状圧電素子連結型発電回路高出力六角形状圧電素子連結型発電回路棒状レールモーターを使った特定のカメラ被写体位置全自動確認出来る他社に無いモーターを使った被写体の距離を専門に計測擦る為のカメラの参考図。
【図６】本発明の 全自動システムに対しての五変化高出力スピーカーは、色々の音を正確に再現擦る為の五変化高出力スピーカーの簡単な構造説明に成り、高出力銅筒官コイル配線と高出力圧電素子磁石体の複数針穴形状ステンレスパネル磁石板を使った高音の銅鉄合金スピーカーと高音の絹糸網入り紙スピーカーと中音を出す為のプラスチックビニールスピーカーの参考説明図。
【図７】本発明の 全自動システムに対しての高出力弱アルファ線一粒粒子入りシリコンダイオード圧電素子スイッチの説明に成り、シリコンスイッチが古く成ると固まり易く成る特性を遅らせる為に、放射線のアルファ熱吸収放射線に拠って、低温凝固変化を遅らせる効果と圧電素子磁石体粒子に拠るシリコン凝固作業を遅らせ、更に軽水素内蔵効果に拠って高出力弱アルファ線一粒粒子入りシリコンダイオード圧電素子スイッチのスピード切り替えスイッチを目的としたＧＰＳを使った全自動装置のスイッチの参考物質位置のスイッチの概略説明参考図。
【図８】本発明の 全自動システムに対しての高出力弱ガンマ線一粒粒子入りシリコンダイオード圧電素子スイッチの説明に成り、シリコンスイッチが古く成ると固まり易く成る特性を遅らせる為に、放射線のガンマ物質透過放射線に拠って、シリコン凝固変化を遅らせる効果と圧電素子磁石体粒子に拠るシリコン凝固作業を遅らせ、更に軽水素内蔵効果に拠って高出力弱ガンマ線一粒粒子入りシリコンダイオード圧電素子スイッチのスピード切り替えスイッチを目的としたＧＰＳを使った全自動装置のスイッチの参考物質位置のスイッチの概略説明参考図。
【図９】本発明の 全自動システムに対しての高出力六角形状圧電素子連結発電回路型レールモーター装置に対しての地図データの両面ＭＤを回転指せるモーター説明参考図。
【図１０】本発明の 全自動システムに対しての電気抵抗ゼロ配線プラス電気配線説明参考図。
【図１１】本発明の 全自動システムに対しての電気抵抗ゼロ配線マイナス電気配線説明参考図。
【図１２】本発明の 全自動システムに対しての高出力六角形状圧電素子発電回路の参考説明図。
【図１３】本発明の 全自動システムに対しての四分割機能レンズとして赤外線ガス入りプラスチックパネルと紫外線ガス入りプラスチックパネルと弱アルファ線入りプラスチックパネルと弱ガンマ線入りプラスチックパネルを組み合わせた全自動システムカメラレンズの説明参考図。
【図１４】本発明の 全自動システムに対してのカラー色ラインカメラ全自動位置認識確認連絡装置の説明参考図。
【図１５】本発明の 全自動システムに対しての全自動自動車の電波送受信型人工衛星と電波送受信型山岳ヘリコプターを使った二つのＧＰＳ受信三角点位置取り手段と全自動自動車の第一ＧＰＳと第二ＧＰＳと第三ＧＰＳと第四ＧＰＳと第五ＧＰＳを使った位置出しの説明参考図。
【図１６】本発明の 全自動システムに対しての全自動自動車の高出力発電回路内蔵型人工衛星とＧＰＳスクリュー無線電波距離計測中継鉄塔を使った全自動システムの位置出しの説明参考図。
【図１７】本発明の 全自動システムに対しての全自動自動車の高出力軽量機械式発電機積載型人工衛星と軽量パネル積載型山岳ヘリコプターを使った全自動システムの位置出しの説明参考図。
【図１８】本発明の 全自動システムに対しての全自動自動車の道路の中央ラインと両サイドライン以外の道路に対しての全自動自動車位置の再確認の為の、自動車中央センターラインライトと道路位置確定ＧＰＳ電波中央ラインの説明参考図。
【図１９】本発明の 全自動システムに対しての知的所有財産の著作権特許の年月日考案想定確定日を証明擦ると同時に日本国の全額借金返済の為の最終全世界確認手段を書いた事実の証明書の北海道道庁発行の個人情報開示書のコピー説明参考図。
【図２０】本発明の 全自動システムに対しての全自動家電のニャンワン全自動掃除機の天井設置型室内固定位置全自動確認認識連絡装置と室内設定インプット立体画像地図と複数カラーライトライン装置と全自動被写体形状認識カメラ焦点距離データ地図書き込みシステム装置を内蔵したニャンワン全自動掃除機の説明参考図。
【図２１】本発明の 全自動システムに対しての全自動家電のニャンワン全自動掃除機の構造概略説明参考図。
【図２２】本発明の 全自動システムに対してのカメラＣＣＤの構造概略説明参考図。
【図２３】本発明の 全自動システムに対しての高出力ソーラーパネル充電型六角形状圧電素子発電回路型レールモーターロボットドリルの構造説明参考図。
【図２４】本発明の 全自動システムに対しての高出力六角形状圧電素子連結発電回路型ソーラーパネル人工衛星と高出力山岳ヘリコプターを使った位置出し説明のバックホーの７箇所位置全自動確認装置を使った全自動システムの説明参考図。
【図２５】本発明の 全自動システムに対しての全自動自動車の同国第一人工衛星と同国第二人工衛星を使った二つの人工衛星の直線距離を計算したデータを取得全自動三角点位置距離データ送信システムの第一人工衛星と自動車等の距離２４時間全自動計算システムと第二人工衛星と自動車等の距離２４時間全自動計算システムを使った２基以上の空中人工衛星と自動車等の４点位置に対して人工衛星間の自動車位置の四点距離の全自動２４時間計測システムの概略構造説明参考図。
【図２６】本発明の 全自動システムに対しての全自動自動車の２基以上の空中人工衛星と自動車等の４点位置に対して人工衛星間の自動車位置の四点距離の全自動２４時間計測システムと地域で一番高い山に建てられた電波中継鉄塔と自動車等の四点距離の全自動計測を使った全自動自動車の第一スクリュー無線波送受信立体地図位置割り出し特定装置と第二スクリュー無線波送受信立体地図位置割り出し特定装置と第三スクリュー無線波送受信立体地図位置割り出し特定装置と第四スクリュー無線波送受信立体地図位置割り出し特定装置を使った説明参考図。
【図２７】本発明の 全自動システムに対しての全自動自動車システムの財団専用人工衛星に於いて、自動車等の車両の同一車線上の他車からの電波距離全自動計測ＧＰＳ位置再確認送受信装置と他車へのＧＰＳ距離送受信転送全自動装置と位置特定波を使った概略構造説明参考図。
【図２８】本発明の 全自動システムに対しての図２７の著作考案記載日を特定擦る参考説明図。
【図２９】本発明の 全自動システムに対しての図２７の残りの著作考案記載日を特定擦る参考説明図。
【図３０】本発明の 全自動システムに対しての全自動ハンカチと圧電素子４電子磁気分割装置を使った第一弱電波送受信装置と第二弱電波送受信装置と第三弱電波送受信装と第四弱電波送受信装置を使った横糸高出力発電糸及び軽水素入りシリコンダイオード圧電素子磁石体粒子内蔵発電糸と軽水素フッ化カルシウム粒子入りアルゴンガス内蔵ビニールナイロンライト糸と音声回路二層アースＩＣチップシートと高出力楕円形連結圧電素子軽水素ビニールナイロン発電回路糸を使った概略構造説明参考図。
【図３１】本発明の 全自動システムに対しての位置音声発生固定位置非常位置認識超小型パネルシステムに対して第一高出力六角形状圧電素子連結発電回路内蔵型シリコンソーラーパネル第一アンテナスピーカーと第二高出力六角形状圧電素子連結発電回路内蔵型シリコンソーラーパネル第二アンテナスピーカーと第三高出力六角形状圧電素子連結発電回路内蔵型シリコンソーラーパネル第三アンテナスピーカーと第四高出力六角形状圧電素子連結発電回路内蔵型シリコンソーラーパネル第四アンテナスピーカー内蔵の高出力低周波受信認識装置と高出力ブロック波受信認識装置と高出力パターン波受信認識装置と高出力中波受信認識装置内蔵の竹灰入りプラスチックアルミニウム絶縁体シートパネルと軽水素入り高出力圧電素子磁石体を使った位置音声発生固定位置非常位置認識超小型パネルシステムの概略構造説明参考図。
【図３２】本発明の 全自動システムに対しての高出力電子カメラに対しての高出力銅筒官操作コイルと屈折板と第一高出力コンデンサーレンズと第二高出力コンデンサーレンズに対してプラス圧電素子４電子磁気分割装置とマイナス圧電素子４電子磁気分割装置を使った電気抵抗ゼロ電子銃に対して、アノード電気抵抗ゼロ陽極と高出力銅筒官操作コイルと倍率制御と増幅回路と光と対物に対して操作発生回路を使った映像を見る事の出来る高出力電子カメラの概略構造説明参考図。
【図３３】本発明の 全自動システムに対してのもう一つの高出力電子カメラに対しての高出力銅筒官操作コイルと屈折板と第一高出力コンデンサーレンズと第二高出力コンデンサーレンズに対してプラス圧電素子４電子磁気分割装置とマイナス圧電素子４電子磁気分割装置を使った電気抵抗ゼロ電子銃に対して、アノード電気抵抗ゼロ陽極と高出力銅筒官操作コイルと倍率制御と増幅回路と光と対物に対して操作発生回路を使った映像を見る事の出来る高出力電子カメラの概略構造説明参考図。
【図３４】本発明の 全自動システムに対しての高出力三色カラーライトライン装置に対してのプラス高出力六角形状圧電素子連結型発電回路Ａとマイナス高出力六角形状圧電素子連結型発電回路Ａとプラス圧電素子４電子磁気分割装置Ａとマイナス圧電素子４電子磁気分割装置Ａと、アルゴンガス入りグラスフアィバーライトパネルと軽水素入りフッ化カルシウムライトパネルに対して二重発光ライトパネル形式と通常プラス電気と通常マイナス電気と赤青黄三色光と三色光仕切り板と赤色ガラスと青色ガラスと黄色ガラスと光絞り官を使った高出力三色カラーライトライン装置の概略構造説明参考図。
【図３５】本発明の 全自動システムに対しての三眼カメラ物体形状認識装置に対して、各プラスマイナス圧電素子４電子磁気分割装置を使った弱アルファ放射線入りプラスチックシート内蔵鉛水入りクリスタルガラスパネルと弱ガンマ放射線入りプラスチックシート内蔵鉛水入りクリスタルガラスパネルと高出力軽水素入りＣＣＤパネルと凸レンズと高出力六角形状圧電素子連結型発電回路移動スイッチを構造とした三眼カメラ物体形状認識装置の概略構造説明参考図。
【図３６】本発明の 全自動システムに対しての高出力ＧＰＳ受信機に対しての衛星波受信アンテナ装置の圧電素子チップフィルタと軽水素入りアンテナ電波検出器と圧電素子粒子入りダイオードＢＰＦ（ＳＡＷフィルタ）とミキサ（周波数変換器）とプリスケーラと電圧制御発信機と位相比較と時計機能付きＧＰＳ同期型基準信号発生器と不要周波数帯混入カット遮断装置に対して第一中間周波数圧電素子ダイオードフィルタと第二中間周波数圧電素子ダイオードフィルタを使った周波数変換機と（ＰＬＬ回路）位相雑音取り除き装置とＴＣＸＯ温度補償水晶発振器と位置データとクロックベースバンド多層式カードボックス回路構造の高出力ＧＰＳ受信機の概略構造説明参考図。
【図３７】本発明の 全自動システムに対しての図３４の著作考案記載日を特定擦る参考説明図。
【図３８】本発明の 全自動システムに対しての図３５の著作考案記載日を特定擦る参考説明図。
【図３９】本発明の 全自動システムに対しての図３６の著作考案記載日を特定擦る参考説明図。
【図４０】本発明の 全自動システムに対しての図３６の残りの著作考案記載日を特定擦る参考説明図。
【図４１】本発明の 全自動システムに対してのＧＰＳ受信ブロック図に対して、アンテナを使ったＧＰＳモジュールとＳＡＷ電波フィルタとＬＣ電波フィルタとＳＡＷフィルタ不要電波取り除き装置と圧電素子４電子磁気分割装置ＢとＩＣ多層式タグとベースバンド二層ＩＣと、測位結果と制御コマンドを使ったＧＰＳ受信ブロック図の概略構造説明参考図。
【図４２】本発明の 全自動システムに対してのベースバンドＩＣ内部ブロック図に対して、ＲＦブロックとＣＬＯＣＫ衛星山岳ヘリコプター時間とＤＡＴＡ圧電素子電波収録データと電波データ相関器とＰＬＬ回路位相雑音取り除き装置 とＣＰＵ ＡＲＭ７データ加速器とＵＡＲＴ全二重位置計測装置と多層メモリーインターフェースとパスブリッジとデータの入出力（パソコン及びマイコン）とフラッシュメモリと外部多層メモリ圧電素子カードボックスとマスクＲＯＭ圧電素子磁気記憶装置とＲＡＭ圧電素子磁気記憶装置とリアルタイムクロック（ＲＴＣ）衛星時間表示装置と電気を使ったベースバンドＩＣ内部ブロック図の概略構造説明参考図。
【図４３】本発明の 全自動システムに対してのＧＰＳ山岳ヘリコプター波受信機の山岳ヘリコプターと電波とアンテナと高速スクリュー高周波増幅部とミキサ周波数変換器とＡＤ変換器と局部発振器とコード相関部Ｃ／Ａ復調とＣＰＵ処理部  航法データの復調  衛星山岳ヘリコプターの軌道演算等位置演算等とリアルデータ出力 （位置  速度  時刻のデータ呼び出し取り決め符号）を使ったＧＰＳ山岳ヘリコプター波受信機の概略構造説明参考図。
【図４４】本発明の 全自動システムに対しての新技術コンデンサに対して、通常コンデンサの企業個人財産盗作に対して、回避と竹灰入りセラミックカバー型炭素石灰水素粒子入り銅筒官コンデンサと回路基板足に差し込むタイプとスプリング部と炭素石灰部分とカバーと鉛芯入り鉄筒ピン足とビニール黒土リン化合物粒子入り木材灰入り陶器粒子化合コンデンサとビニール黒土リン化合物粒子と高出力圧電素子粒子入り鉄鉛アルミニウム合金ピン足を使った新技術コンデンサの概略構造説明参考図。
【図４５】本発明の 全自動システムに対しての発電コンデンサに対して、高出力六角形状圧電素子連結型発電回路と生塵灰入りガラス絶縁体カバー型と六角形状圧電素子ライン粒子青粘土硫黄入りアルゴンガス入りナイロン粒子コンデンサと木材灰入り陶器絶縁体カバー型と竹灰入りセラミックカバー型六角形状圧電素子ライン粒子白粘土フッ化カルシウム水素コンデンサと竹灰入りセラミックカバー型と丸型発電コンデンサと四角型発電コンデンサと六角型発電コンデンサ構造の発電コンデンサの概略構造説明参考図。
【図４６】本発明の 全自動システムに対しての図４４の著作考案記載日を特定擦る参考説明図。
【図４７】本発明の 全自動システムに対しての図４４の残りの著作考案記載日を特定擦る参考説明図。
【図４８】本発明の 全自動システムに対しての図４５の著作考案記載日を特定擦る参考説明図。
【図４９】本発明の 全自動システムに対しての図４５の残りの著作考案記載日を特定擦る参考説明図。
【図５０】本発明の 全自動システムに対しての全自動ロボット家電専用ブロックボックス集脳回路は通常集積回路と多層式圧電情報素子と多層式圧電情報素子口スピーカー音声ブロックと多層式圧電情報素子口マイク耳ブロックと多層式圧電情報素子口手モーター作動ブロックと多層式圧電情報素子口足走行モーター作動ブロックと指示ブロックと複数波発振回路とスピン受信機を使った全自動ロボット家電専用ブロックボックス集脳回路の概略構造説明参考図。
【図５１】本発明の 全自動システムに対しての全自動自動車の内側室パネルライトの構造-はマイナスドライバー口カバーとマイナスドライバー差し込み回転部分と二重発光ライト玉とネジ部分とプラスドライバー口カバーとプラスドライバー差し込み回転部分とネジ嵌め込み方式コンデンサと丸型ネジ式コンデンサと六角型ネジ式コンデンサと四角型ネジ式コンデンサを使った全自動自動車の内側室パネルライトの構造の概略構造説明参考図。
【図５２】本発明の 全自動システムに対しての置き型位置連絡装置は天井固定位置連絡装置と全自動家電位置連絡送受信装置とテレビの上に置く位置連絡送受信タイプと壁掛け用の全自動ロボット家電送受信システム構造の概略構造説明参考図。
【図５３】本発明の 全自動システムに対しての宇宙海底送受信ネット網システムはと音声スイッチと指定機種とメッセージボックスと予定項目メニユー時間と部屋指定と宅配地場産業メニューと速度取り締まり地域時間公開と名所全自動指定カーナビ誘導システムとポイント基金参加とロボット介護シティマークと市町村区無料全自動検診システムセンターと世界財団加盟ニュースと回路カメラ標識と送受信構造の概略構造説明参考図。
【図５４】本発明の 全自動システムに対しての水素電子半導体（リチウム水素電子半導体）はＡＳＴ  ヒ素三重水素入りシリコンとＳＩＴ  三重水素入りシリコン と三重水素Ｎ型半導体と軽水素電子半導体（プロチウム電子半導体）とＢＨ軽水素入りホウ素とＳＩＨ軽水素入りシリコンと高出力Ｐ型半導体構造の水素電子半導体（リチウム水素電子半導体）の概略構造説明参考図。
【図５５】本発明の 全自動システムに対しての軽水素電子半導体（プロチウム電子半導体）はＳＩＨ軽水素入りシリコンとＡＳＨ  ヒ素軽水素と高出力Ｎ型半導体を使った軽水素電子半導体（プロチウム電子半導体）の概略構造説明参考図。
【図５６】本発明の 全自動システムに対しての高出力トランジスタのＮＰＮ型トランジスタはコレクタ電流とコレクタ（Ｃ）とエミッタ電流とベース（Ｂ）と高出力Ｎ型シリコン半導体と高出力Ｐ型シリコン半導体を使った高出力トランジスタのＮＰＮ型トランジスタの概略構造説明参考図。
【図５７】本発明の 全自動システムに対しての高出力六角形状圧電素子連結型発電回路ガンマ放射線一粒粒子入りＮＰＮ型トランジスタはコレクタ電流とコレクタ（Ｃ）とエミッタ電流とベース（Ｂ）と高出力一粒ガンマ放射線粒子入り圧電素子ヒ素軽水素シリコンＮ型半導体と高出力一粒ガンマ放射線粒子入り圧電素子ホウ素軽水素シリコンＰ型半導体とガンマ一粒粒子弱放射線 （軽減放射線）を使った高出力六角形状圧電素子連結型発電回路ガンマ放射線一粒粒子入りＮＰＮ型トランジスタの概略構造説明参考図。
【図５８】本発明の 全自動システムに対しての高出力六角形状圧電素子連結型発電回路内蔵型ＮＰＮ型トランジスタはコレクタ電流とコレクタ（Ｃ）とエミッタ電流とベース（Ｂ）とエミッタ（Ｅ）と高出力圧電素子粒子入りヒ素軽水素シリコンＮ型半導体と高出力圧電素子粒子入りホウ素軽水素シリコンＰ型半導体を使った概略構造説明参考図。
【図５９】本発明の 全自動システムに対しての高出力六角形状圧電素子連結型発電回路型一粒アルファ放射線粒子入りＮＰＮ型トランジスタとコレクタ電流とコレクタ（Ｃ）とエミッタ電流とベース（Ｂ）と高出力一粒アルファ放射線粒子入り圧電素子ヒ素水素シリコンＮ型半導体と高出力一粒アルファ放射線粒子入り圧電素子ホウ素水素シリコンＰ型半導体とアルファ一粒弱放射線粒子を内蔵させた高出力六角形状圧電素子連結型発電回路内蔵型ＮＰＮ型トランジスタの概略構造説明参考図。
【図６０】本発明の 全自動システムに対しての高出力一粒アルファ放射線粒子入りＮチャンネルＭＯＳ形ＦＥＴはアルファ一粒弱放射線粒子とドレインと ソースとゲートと高出力点連結型発電回路と高出力シリコンＮ型半導体と高出力シリコンＰ型半導体構造の高出力一粒アルファ放射線粒子入りＮチャンネルＭＯＳ形ＦＥＴ装置説明と高出力一粒アルファ放射線粒子入りＰチャンネルＭＯＳ形ＦＥＴとアルファ一粒弱放射線粒子とドレインと ソースとゲートと高出力点連結型発電回路と高出力シリコンＮ型半導体と高出力シリコンＰ型半導体の概略構造説明参考図。
【図６１】本発明の 全自動システムに対しての新しい発電回路説明として、酸素シリコンシート  酸化窒素酸素シリコンシートと軽水素シリコンシート又は酸化軽水素水銀シリコンシートと軽水素入り圧電素子シリコンシート又は発電回路型と酸素シリコンシートと軽水素入り圧電素子発電回路型シリコンシートと酸素シリコンシートと窒素酸素シリコンプラス充電池素子体チップ及び窒素酸素シリコンマイナス充電池素子体チップ構造の新しい発電回路の概略構造説明参考図。
【図６２】本発明の 全自動システムに対しての高出力一粒ガンマ放射線粒子入りサイリスタは高出力一粒ガンマ放射線粒子入り圧電素子ヒ素軽水素シリコンＮ型半導体と高出力一粒ガンマ放射線粒子入り圧電素子ホウ素軽水素シリコンＰ型半導体とガンマ一粒粒子弱放射線別名（軽減放射線）カソード（Ｋ）とアノード（Ａ）構造の高出力一粒ガンマ放射線粒子入りサイリスタの概略構造説明参考図。
【図６３】本発明の 全自動システムに対しての高出力一粒アルファ放射線粒子入りサイリスタはカソード（Ｋ）とアノード（Ａ）高出力一粒アルファ放射線粒子入り圧電素子ヒ素水素シリコンＮ型半導体と高出力一粒アルファ放射線粒子入り圧電素子ホウ素水素シリコンＰ型半導体とアルファ一粒弱放射線粒子構造の高出力一粒アルファ放射線粒子入りサイリスタの概略構造説明参考図。
【図６４】本発明の 全自動システムに対しての高出力サイリスタは、高出力圧電素子粒子入りヒ素軽水素シリコンＮ型半導体と高出力圧電素子粒子入りホウ素軽水素シリコンＰ型半導体とゲートとカソード（Ｋ）とアノード（Ａ）構造の高出力サイリスタの概略構造説明参考図。
【図６５】本発明の 全自動システムに対しての高出力六角形状圧電素子連結型発電回路シート内蔵型サイリスタは高出力圧電素子粒子入りヒ素軽水素シリコン発電回路型Ｎ型半導体と高出力圧電素子粒子入りホウ素軽水素シリコン発電回路型Ｐ型半導体とゲートとカソード（Ｋ）とアノード（Ａ）と高出力点連結型発電回路と高出力圧電素子粒子入りヒ素軽水素シリコン発電回路型Ｎ型半導体と高出力圧電素子粒子入りホウ素軽水素シリコン発電回路型Ｐ型半導体構造の概略構造説明参考図。
【図６６】本発明の 全自動システムに対しての高出力六角形状圧電素子連結発電回路内蔵型フォートダイオードは、高出力Ｎ型シリコン半導体と高出力Ｐ型シリコン半導体とガンマ一粒粒子弱放射線又は（軽減放射線）と高出力点連結型発電回路と高出力六角形状圧電素子連結型発電回路シート内蔵型サイリスタと高出力不純物シリコンＮ型半導体と高出力Ｎ型アルファ一粒粒子シリコン半導体と高出力Ｎ型ガンマ粒粒子シリコン半導体と高出力Ｎ型アルファ一粒粒子シリコン不純物半導体と高出力Ｎ型ガンマシリコン半導体と高出力Ｐ型ガンマシリコン半導体構造の高出力六角形状圧電素子連結発電回路内蔵型フォートダイオードの概略構造説明参考図。
【図６７】本発明の 全自動システムに対してのカバー及び枠装置に使用擦る磁石ボルトナット回転鍵止め装置構造の概略構造説明参考図。
【図６８】本発明の 全自動システムに対しての高出力軽量圧電素子電波修正回路素子足部分は軽水素微量ネオンアルゴンガス入り軽量圧電素子修正電波回路素子と軽水素アルゴンガス入り圧電素子電波修正回路素子と竹灰石灰入りグラスファイバー 構造の高出力軽量圧電素子電波修正回路素子足部分の概略構造説明参考図。
【図６９】本発明の 全自動システムに対しての高出力集積回路はコレクタ（Ｃ）とベース（Ｂ）とエミッタ（Ｅ）高出力ＩＣ内部と高出力軽水素入りダイオードとＳＩＯ&sup2;と高出力Ｐ型シリコン基板構造の高出力集積回路の概略構造説明参考図。
【図７０】本発明の 全自動システムに対しての高出力リチウム水素ガス入り圧電素子粒子内蔵Ｐ型液晶半導体は高出力リチウム水素ガス入り圧電素子粒子内蔵Ｎ型液晶半導体と高出力リチウム水素ガス入り圧電素子粒子内蔵ＰＮ接合液晶半導体の概略説明と高出力リチウム水素ガス入り圧電素子粒子内蔵Ｐ型マグネシウムシリコン半導体と高出力リチウム水素ガス入り圧電素子粒子内蔵Ｎ型マグネシウムシリコン半導体と高出力リチウム水素ガス入り圧電素子粒子内蔵ＰＮ接合マグネシウムシリコン半導体の概略説明と高出力リチウム水素ガス入り圧電素子粒子内蔵Ｐ型チタン酸バリウムシリコン粒子入りダイオード半導体高出力リチウム水素ガス入り圧電素子粒子内蔵Ｎ型チタン酸バリウムシリコン粒子入りダイオード半導体構造の高出力リチウム水素ガス入り圧電素子粒子内蔵ＰＮ接合チタン酸バリウムシリコン粒子入りダイオード半導体の概略構造説明参考図。
【図７１】本発明の 全自動システムに対しての高出力プロチウム軽水素ガス入り圧電素子粒子ガンマ一粒粒子内蔵シリコンＰ型半導体は高出力プロチウム軽水素ガス入り圧電素子粒子ガンマ一粒粒子内蔵シリコンＮ型半導体と高出力プロチウム軽水素ガス入り圧電素子粒子ガンマ一粒粒子内蔵ＰＮ接合シリコン半導体及び高出力プロチウム軽水素ガス入り圧電素子粒子ガンマ一粒粒子内蔵ビニールＰ型半導体と高出力プロチウム軽水素ガス入り圧電素子粒子ガンマ一粒粒子内蔵ビニールＮ型半導体は高出力プロチウム軽水素ガス入り圧電素子粒子ガンマ一粒粒子内蔵ＰＮ接合ビニール半導体構参考構造装置と高出力プロチウム軽水素ガス入り圧電素子粒子ガンマ一粒粒子内蔵ダイオードＰ型半導体と高出力プロチウム軽水素ガス入り圧電素子粒子ガンマ一粒粒子内蔵ダイオードＮ型半導体構造の高出力プロチウム軽水素ガス入り圧電素子粒子ガンマ一粒粒子内蔵ＰＮ接合ダイオード半導体の概略構造説明参考図。
【図７２】本発明の 全自動システムに対しての高出力リチウム水素ガス入り圧電素子粒子内蔵シリコンＰ型半導体Ｐ型チタン酸バリウムシリコン粒子入りダイオード半導体は高出力リチウム水素ガス入り圧電素子粒子内蔵シリコンＮ型半導体Ｎ型チタン酸バリウムシリコン粒子入りダイオード半導体と高出力リチウム水素ガス入り圧電素子粒子内蔵ＰＮ接合シリコン半導体に成り、高出力リチウム水素ガス入り圧電素子粒子内蔵ビニールＰ型半導体は高出力リチウム水素ガス入り圧電素子粒子内蔵ビニールＮ型半導体と高出力リチウム水素ガス入り圧電素子粒子内蔵ＰＮ接合ビニール半導体構造の参考説明に成り、高出力リチウム水素ガス入り圧電素子粒子内蔵ダイオードＰ型半導体と高出力リチウム水素ガス入り圧電素子粒子内蔵ダイオードＮ型半導体構造の高出力リチウム水素ガス入り圧電素子粒子内蔵ＰＮ接合ダイオード半導体の概略構造説明参考図。
【図７３】本発明の 全自動システムに対しての高出力プロチウム軽水素ガス入り圧電素子粒子アルファ一粒粒子内蔵液晶Ｐ型半導体は高出力プロチウム軽水素ガス入り圧電素子粒子アルファ一粒粒子内蔵液晶Ｎ型半導体構造の高出力プロチウム軽水素ガス入り圧電素子粒子アルファ一粒粒子内蔵ＰＮ接合液晶半導体に成り、高出力プロチウム軽水素ガス入り圧電素子粒子アルファ一粒粒子内蔵マグネシウムシリコンＰ型半導体は高出力プロチウム軽水素ガス入り圧電素子粒子アルファ一粒粒子内蔵マグネシウムシリコンＮ型半導体と高出力プロチウム軽水素ガス入り圧電素子粒子アルファ一粒粒子内蔵ＰＮ接合マグネシウムシリコン半導体に成り高出力プロチウム軽水素ガス入り圧電素子粒子アルファ一粒粒子内蔵Ｐ型チタン酸バリウムシリコン粒子入りダイオード半導体は高出力プロチウム軽水素ガス入り圧電素子粒子アルファ一粒粒子内蔵Ｎ型チタン酸バリウムシリコン粒子入りダイオード半導体構造の高出力プロチウム軽水素ガス入り圧電素子粒子アルファ一粒粒子内蔵ＰＮ接合チタン酸バリウムシリコン粒子入りダイオード半導体の概略構造説明参考図。
【図７４】本発明の 全自動システムに対しての高出力圧電素子三重金属シリコンＰＮ接合軽水素入りシリコン半導体はＮ型マグネシウムシリコン半導体と二種類ＰＮ接合合成シリコン半導体シートとＰ型圧電素子粒子入りシリコン半導体とＮ型軽水素鉛水シリコン半導体と二種類ＰＮ接合二枚合わせ半導体シートとＰ型圧電素子粒子入りシリコン半導体とＮ型軽水素銅水シリコン半導体と三種類ＰＮ接合三枚合わせ半導体シートとＰ型圧電素子粒子入りシリコン半導体構造の高出力圧電素子三重金属シリコンＰＮ接合軽水素入りシリコン半導体の概略構造説明参考図。
【図７５】本発明の 全自動システムに対しての図７４の著作考案記載日を特定擦る参考説明図。
【図７６】本発明の 全自動システムに対しての高出力圧電素子ＰＮ接合水素ガス入りシリコン半導体構造に対してＮ型リチウム水素ガス入り半導体シートと水素入りシリコンシートとＰ型リチウム水素ガス入り半導体シートとＮ型リチウム水素ガス入り半導体シートと水素入りシリコン二枚合わせシートとＰ型リチウム水素ガス圧電素子粒子入り半導体シートと水素入りシリコン三枚合わせシート構造の高出力圧電素子ＰＮ接合水素ガス入りシリコン半導体構造の概略構造説明参考図。
【図７７】本発明の 全自動システムに対しての高出力圧電素子ＰＮ接合軽水素入りシリコン半導体構造は水素入りシリコンシートとＮ型リチウム水素ガス入り半導体シートとＰ型リチウム水素ガス圧電素子粒子入り半導体シートと水素入りシリコン三枚合わせシートＮ型軽水素入りシリコン半導体とＰ型軽水素入りシリコン半導体と温度加熱接着と二枚合わせシート構造の高出力圧電素子ＰＮ接合軽水素入りシリコン半導体構造の概略構造説明参考図。
【図７８】本発明の 全自動システムに対しての軽水素プロチウムガス入り圧電素子磁石体粒子内蔵型マグネシウムシリコン半導体構造の１６分割シリコンウエハー構造の概略構造説明参考図。
【図７９】本発明の 全自動システムに対しての超高速スイッチングシリコンＰＮ接合ダイオード半導体構造はアノード（Ａ）とカソード（Ｋ）と軽水素ガス入り圧電素子磁石体粒子内蔵ダイオードＮ型半導体とＰ型シリコンとＮ型シリコンと軽水素入りマイクロシリコン膜と軽水素ガス入り圧電素子磁石体粒子入りダイオードＰ型半導体これら構造の超高速スイッチングシリコンＰＮ接合ダイオード半導体の概略構造説明参考図。
【図８０】本発明の 全自動システムに対しての高出力ＰＩＮ接合ダイオード半導体はＰ型&#8314;とＩ型とＮ型&#8314;と高出力プロチウム軽水素ガス入り不純物濃高度Ｎ&#8314;型ダイオード半導体と高出力プロチウム軽水素ガス入り不純物濃高度Ｐ&#8314;型ダイオードと点状圧電素子四角型磁気ラインと抵抗と順方向電流Ａこれら構造の高出力ＰＩＮ接合ダイオード半導体の概略構造説明参考図。
【図８１】本発明の 全自動システムに対しての高出力ジャクションＦＥＴはドレインとゲート（Ｇ）と電池と軽水素ガス入り圧電素子磁石体粒子ライン入りＮ型シリコン磁性体と軽水素ガス入り圧電素子磁石体粒子ライン入りＰ型シリコン磁性体とＰ型シリコン膜を構造主体とした高出力ジャクションＦＥＴの概略構造説明参考図。
【図８２】本発明の 全自動システムに対しての全自動機械に使用擦る為のＭＯＳＦＥＴ金属酸化物トランジスタ半導体はドレインとソースと電池と酸化膜と合金と高出力多層Ｎチャンネル層と高出力軽水素入りＰ型シリコン基板と複数穴空き通常Ｎ型シリコンシートと軽水素入りＮ型シリコンシート構造主体のＭＯＳＦＥＴ金属酸化物トランジスタ半導体の概略構造説明参考図。
【図８３】本発明の 全自動システムに対しての高出力トレンチゲートＭＯＳＦＥＴ金属酸化物トランジスタ半導体はドレインとソースとゲート（Ｇ）と電池と酸化膜と銅鉛合金と高出力水素入りエボナイト微粒子不純物Ｎ型シリコンと通常Ｐ型シリコンと高出力軽水素入りＮ型シリコン半導体構造の高出力トレンチゲートＭＯＳＦＥＴ金属酸化物トランジスタ半導体の概略構造説明参考図。
【図８４】本発明の 全自動システムに対しての全自動機械に使用擦る為の高出力プレーナゲートＭＯＳＦＥＴ金属酸化物トランジスタ半導体はドレイン（Ｇ）とソースとゲート（Ｇ）と電池と銅鉛合金と通常Ｐ型シリコンと高出力軽水素入りＮ型シリコン半導体と高出力トレンチゲートＭＯＳＦＥＴ金属酸化物トランジスタ半導体と冷却固形物質と窒素これら構造の高出力プレーナゲートＭＯＳＦＥＴ金属酸化物トランジスタ半導体の概略構造説明参考図。
【図８５】本発明の 全自動システムに対しての全自動機械に使用擦る為の図７９の著作考案記載日を特定擦る参考説明図。
【図８６】本発明の 全自動システムに対しての全自動機械に使用擦る為のショットキーバリア高出力ダイオードの構造説明はアノード（Ａ）とカソード（Ｋ）と金属と高出力Ｎ型半導体と高出力プロチウム軽水素ガス入り圧電素子磁気ダイオードイオンの流れとドリフト電流と軽水素ガス入り圧電素子磁石体粒子内蔵ダイオードＮ型半導体とＲと抵抗と銅鉛レアーアース合金と電池と順方向電流に対しての取り付け構造のショットキーバリア高出力ダイオードの説明の概略構造説明参考図。
【図８７】本発明の 全自動システムに対しての全自動機械に使用擦る為の図８０の著作考案記載日を特定擦る参考説明図。
【図８８】本発明の 全自動システムに対しての全自動機械に使用擦る為の図７９の著作考案記載日を特定擦る参考説明図。
【図８９】本発明の 全自動システムに対しての全自動機械に使用擦る為の図８１の著作考案記載日を特定擦る参考説明図。
【図９０】本発明の 全自動システムに対しての全自動機械に使用擦る為の図８１の残りの著作考案記載日を特定擦る参考説明図。
【図９１】本発明の 全自動システムに対しての全自動機械に使用擦る為の図８４の著作考案記載日を特定擦る参考説明図。
【図９２】本発明の 全自動システムに対しての全自動機械に使用擦る為の図８２の著作考案記載日を特定擦る参考説明図。
【図９３】本発明の 全自動システムに対しての全自動機械に使用擦る為の図８２の残りの著作考案記載日を特定擦る参考説明図。
【図９４】本発明の 全自動システムに対しての全自動機械に使用擦る為の高出力サイリスタと高出力トライアックの構造を説明したゲート（Ｇ）とアノード（Ａ）とカソード（Ｋ）と電池と抵抗と高出力プロチウム軽水素ガス入り圧電素子粒子内蔵Ｐ型シリコン半導体と高出力プロチウム軽水素ガス入り圧電素子粒子内蔵Ｎ型シリコン半導体とプラス磁気イオンとマイナス磁気イオン構造の高出力サイリスタに成り、高出力トライアックではゲート（Ｇ）と高出力プロチウム軽水素ガス入り圧電素子粒子内蔵Ｐ型シリコン半導体と高出力プロチウム軽水素ガス入り圧電素子粒子内蔵Ｎ型シリコン半導体とターミナル１（Ｔ１）とターミナル２（Ｔ２）構造の高出力トライアックの概略構造説明参考図。
【図９５】本発明の 全自動システムに対しての全自動機械に使用擦る為の軽水素入り軽量圧電素子入りシリコンは高出力Ｎ型半導体と高出力プロチウム軽水素ガス入り圧電素子粒子内蔵Ｐ型シリコン半導体と高出力点状圧電素子連結型発電回路と水素入り軽量圧電素子入りシリコン構造の軽水素入り軽量圧電素子入りシリコンの概略構造説明参考図。
【図９６】本発明の 全自動システムに対しての高出力高電圧及び大電流サイリスタＧＴＯは高出力軽水素入りＮ型シリコン半導体とゲート（Ｇ）とアノード（Ａ）とカソード（Ｋ）と電池と抵抗と高出力プロチウム軽水素ガス入り圧電素子粒子内蔵Ｐ型シリコン半導体構造主体の高出力高電圧及び大電流サイリスタＧＴＯの概略構造説明参考図。
【図９７】本発明の 全自動システムに対しての全自動機械に使用擦る為の図９４の著作考案記載日を特定擦る参考説明図。
【図９８】本発明の 全自動システムに対しての全自動機械に使用擦る為の図９４の残りの著作考案記載日を特定擦る参考説明図。
【図９９】本発明の 全自動システムに対しての全自動機械に使用擦る為の図９５の著作考案記載日を特定擦る参考説明図。
【図１００】本発明の 全自動システムに対しての全自動機械に使用擦る為の図９６の著作考案記載日を特定擦る参考説明図。
【図１０１】本発明の 全自動システムに対しての全自動機械に使用擦る為の図９６の残りの著作考案記載日を特定擦る参考説明図。
【図１０２】本発明の 全自動システムに対しての全自動機械に使用擦る為の全自動家電デザインライトシステムの説明に成り、冷蔵庫に対しての全自動家電ライトシステムに成り、二重発光ライトパネル部分の全自動家電冷蔵庫前突起上部分と全自動家電冷蔵庫前突起下部分と前突起部分から成る斜正面ライト光仕切ライトパネル付きの全自動家電デザインライトシステムの概略構造説明参考図。
【図１０３】本発明の 全自動システムに対しての全自動機械に使用擦る為の全自動移動家電の説明に成り、一階二階共同使用全自動移動冷蔵庫の一階天井部分と二階天井部分が移動出来る高出力六角形状圧電素子連結発電回路型コイル無レールモーターと高出力六角形状圧電素子連結発電回路型コイル無レールモーター仕切弁装置と高出力マイクと画像パネルとドア持ち手とクッション三色ビニールプラスチック三層ゴムと高出力スピーカー付きの全自動移動家電の一階二階共同使用全自動移動冷蔵庫の概略構造説明参考図。
【図１０４】本発明の 全自動システムに対しての全自動機械に使用擦る為の全自動組み立て家電位置認証確認確定装置Ａの説明に成り、圧電素子黒色三角形突起部分と鉛ペーパー部分と圧電素子黄色円形突起部分とアルミニウムペーパー部分と圧電素子青色六角形突起部分と銅ペーパー部分と圧電素子赤色四角形突起部分と鉄ペーパー部分と下がって入る構造の全自動組み立て家電位置認証確認確定装置Ａの概略構造説明参考図。
【図１０５】本発明の 全自動システムに対しての全自動組み立て家電位置認証確認確定装置Ｂの説明に成り、鉛ペーパーライン部分と二重発光ライト部分とアルミニウムペーパーライン部分と圧電素子磁力線穴部分と銅ペーパーライン部分と鉄ペーパーライン部分構造の全自動組み立て家電位置認証確認確定装置Ａの概略構造説明参考図。
【図１０６】本発明の 全自動システムに対しての図１０２の全自動機械に使用擦る為の著作考案記載日を特定擦る参考説明図。
【図１０７】本発明の 全自動システムに対しての図１０２の全自動機械に使用擦る為の残りの著作考案記載日を特定擦る参考説明図。
【図１０８】本発明の 全自動システムに対しての図１０３の全自動機械に使用擦る為の著作考案記載日を特定擦る参考説明図。
【図１０９】本発明の 全自動システムに対しての図１０４の全自動機械に使用擦る為の著作考案記載日を特定擦る参考説明図。
【図１１０】本発明の 全自動システムに対しての図１０５の全自動機械に使用擦る為の著作考案記載日を特定擦る参考説明図。
【図１１１】本発明の 全自動システムに対しての全自動機械に使用擦る為の室内壁取り付け型各種電波位置受信装置の説明に成り、と天井三角点位置全自動確認連絡装置と室内電波ホース位置確認システムの概略構造説明参考図。
【図１１２】本発明の 全自動システムに対しての図１１１の全自動機械に使用擦る為の著作考案記載日を特定擦る参考説明図。
【図１１３】本発明の 全自動システムに対しての図１１１の全自動機械に使用擦る為の残りの著作考案記載日を特定擦る参考説明図。
【図１１４】本発明の 全自動システムに対しての全自動機械に使用擦る為のニャンワン全自動掃除機他ビル等のＷ前後左右吸引掃除機の構造に成り、前部分吸引装置と後部吸引装置と左側吸引装置と右側吸引装置と吸引ファンと高出力電磁石塵二重ボックス押し出し装置とモーターカップ全自動塵投げ装置とスクリュー官塵起こし送風官とＷ吸引装置とカーペットの塵をスクリュー風で起こして強力吸引出来る掃除機口と室内位置左と室内位置右と前後左右ライトカメラと四か所室内位置確認装置と全自動位置高出力縄型モーター官とマイナス温風冷風磁力線とプラス温風冷風磁力線と塵二重ボックスとモーター梯子塵捨て全自動装置を取り付けたニャンワン全自動掃除機他ビル等のＷ前後左右吸引掃除機の概略構造説明参考図。
【図１１５】本発明の 全自動システムに対しての図１１５の全自動機械に使用擦る為の竹灰入りガラスの軽量ガラス基板の構造説明参考図。
【図１１６】本発明の 全自動システムに対しての図１１６の全自動機械に使用擦る為の全自動ロボットの、第九ＧＰＳ位置確認認識装置の設置位置応用説明参考図。
【図１１７】本発明の 全自動システムに対しての図１１７の全自動機械に使用擦る為の著作考案記載日を特定擦る参考説明図。
【図１１８】本発明の 全自動システムに対しての図１１８の全自動システム位置距離関係パート１説明参考図。
【図１１９】本発明の 全自動システムに対しての図１１９の全自動システム位置距離関係パート２説明参考図。
【図１２０】本発明の 全自動システムに対しての図１２０の全自動海上ソナー山岳無線波送受信装置説明参考図。
【図１２１】本発明の 全自動システムに対しての図１２１の全自動段数ソナー山岳無線波送受信装置説明参考図。
【図１２２】本発明の 全自動システムに対しての図１２２の全自動サイドソナー山岳無線波送受信装置説明参考図。
【図１２３】本発明の 全自動システムに対しての図１２３の全自動機械に使用擦る為の水中アンテナ送受信装置部分説明参考図。
【図１２４】本発明の 全自動システムに対しての図１２４の全自動機械に使用擦る為の著作考案記載日を特定擦る参考説明図。
【図１２５】本発明の 全自動システムに対しての図１２５の全自動機械に使用擦る為の高出力圧電素子連結型コイル無レールモータースクリュー装置説明参考図。
【図１２６】本発明の 全自動システムに対しての図１２６の全自動機械に使用擦る為の発光真珠の中にルビー石等の宝石の小粒円球体を入れた二重宝石に対して、発光真珠を切り抜いた部分にカットダイヤを嵌め込んだ全自動機械の化粧部品の参考説明図。
【図１２７】本発明の 全自動システムに対しての図１２７の全自動機械に使用擦る為の法面ブロック設置時に使用する裏土固定装置の説明参考図。
【図１２８】本発明の 全自動システムに対しての図１２８の全自動機械に使用擦る為の時計の文字盤デザイン図の参考説明図。
【図１２９】本発明の 全自動システムに対しての図１２９の全自動機械に使用擦る為の全自動機械のカラー塗料及びニス材の参考説明図。
【図１３０】本発明の 全自動システムに対しての図１３０の全自動機械に使用擦る為のハイビジョンレンズと異なる通常レンズの熱遠心分離材使用に拠る不純物無通常レンズ説明参考図。
【図１３１】本発明の 全自動システムに対しての図１３１の全自動機械に使用擦る為の農作物の品種改良参考説明図。
【図１３２】本発明の 全自動システムに対しての図１３２の全自動機械に使用擦る為の全自動機械の古銭を使ったパネル材の参考説明図。
【図１３３】本発明の 全自動システムに対しての図１３３の全自動機械に使用擦る為の切手を保護擦る為の参考説明図。
【図１３４】本発明の 全自動システムに対しての図１３４の全自動機械に使用擦る為の古銭の空間展示デザイン参考説明図。
【図１３５】本発明の 全自動システムに対しての図１３５の全自動機械に使用擦る為の半自動等に使用する道路脇の固定位置連絡送受信装置の参考説明図。
【考案を実施するための形態】
【００７９】
以下本考案の実施の形態を図１〜図２７に基づいて説明する。
全自動無人走行システムは、通常一つのＧＰＳしか積載しない為、道路上の対向車事故及び、十字交差点での、両サイドの自動車との事故対応及び、追い越し去れる自動車との事故つまり、対向車との接触事故に拠って、全自動無人走行システム自動車が、道路上で、事故に拠って、無理な方向変換に成った場合は、全自動無人走行システム自動車に積載した一つのＧＰＳでは、道路方向位置を、特定出来ない為、全自動無人走行システム自動車は、即停止停車状態に成り、対抗車の全自動無人走行システム自動車の道路位置の一ミリの誤差無く、道路地図位置測定が、現在の企業主体と成るマスコミ機関が、報道する全自動無人走行システムは、 一つのＧＰＳつまり、本考案者の公開して有る（特許文献８）特開２０１３―１０２６８８号の国の全額借金返済と都道府県市町村区の全額借金返済の為の多機能電気トラクターの著作権原本に書かれているトラクターの位置の出し方として、二つ以上の天井位置との三角点Ｗ位置の在り方説明と、（特許文献３６）特開２０１２―０５６５５８号のパワーアップハイブリッド車で、説明した二つ以上の人工衛星との三角点位置出し技術だけでも、道路地図の正確な位置を、二台の人工衛星を、使った三角点位置出し技術に拠って、可なり改善はしたが、道路地図上で不意な故障、パンク等で、道路上で全自動無人走行システム車が横に成った場合、スムーズムに直ぐに対応出来ない理由として、道路地図上に書かれて居ない道路走行路は、カーナビゲイション技術では、自動車の方角の再確認に当たり、直ぐに事故対応、スリップ対応が出来ないのが、欠点で有り、盲点でも有った。
然しながら、例えば全自動無人走行システム自動車に道路上及び道路地図上で、どんなスリップ及び事故に於いても、道路地図上及びカーナビゲイション地図上及び全自動無人走行システム自動車道路地図上で、直ぐに安全確認の上での再走行出来る全自動無人走行システム自動車道路地図とは、全自動無人走行システム自動車に、最低四か所の前部分左右一カ所ずつと後部部分左右一カ所ずつの合計四か所の異なった周波数のＧＰＳ位置確認送受信装置が必要視去れる。
従って、全自動無人走行システムのみならず、全自動掃除機の部屋の掃除し残しが無い様に擦る技術言わば、虎刈り虎刈り掃除を防ぐ手段として、部屋の天井に、人工衛星の代わりの天井位置確認装置と全自動掃除機の前後左右の部屋地図の位置説明出来る様に、全自動掃除機本体の前部分左右一カ所ずつと後部部分左右一カ所ずつの合計四か所の異なった周波数のＧＰＳ位置確認送受信装置を取り付けた全自動掃除機など、特定去れる構造の位置つまり、線路の列車の位置確認装置及び、リニアーモーターカーの位置確認は、明くまでも決められた線路しか走行出来ない装置は別に成り、船のＧＰＳ及び飛行機ＧＰＳ及び、ロボットＧＰＳ及び、宇宙ロボットロケットＧＰＳ及び、他の物体を、全自動インプット又は、超小型ウルトラスーパーコンピューター積載の作動物体装置の前後左右上下の物体の位置を、道路地図上及び海上水中地図上及び空中地球地図上及び部屋の中の部屋の地図上及び人の体内の地図上及び宇宙地図上等の、方向位置を特定し、修正する為に使用擦る一つの動く物体一つの自由に動く物体を、スムーズムに無理無く連動作動指せる為のＧＰＳを、一つ設置から、簡単説明擦ると四個に増やした一度に四か所同時に位置測量及び一度に複数の 全自動無人走行システム車を、道路上で、スムーズムに運航走行指せる為の異なったＧＰＳ位置出し技術説明。
【００８０】
以下、送付参考図に拠って、実施を行った場合の説明を行う。図１の１は全自動システム参考図Ａに成り、１０の全自動水中ロボットが海底に於いて、何処の位置で、水中ロボットが、どの様なスタイルで、作業して入るかを、２の人工衛星を通じて、海上の船の部屋で、１０の全自動水中ロボットが、どの様な状態で作業して入るかを確認及び地上の映像パネルで、確認擦る為の図説に成り、リモートコントロールの場合は、３の高出力海上ソナーＡと４の高出力海上ソナーＢと５高出力海上ソナーＣへ２の人工衛星を通じて、１０の全自動水中ロボットに設置去れている２０カ所の水中ロボットの水中ソナー波地図位置に拠って、６の高出力水中段数ソナーＡと７の高出力水中段数ソナーＢと８の高出力水中段数ソナーＣこれらを水中ソナー波が通って、３の高出力海上ソナーＡと４の高出力海上ソナーＢと５高出力海上ソナーＣをソナー波が通って、３の高出力海上ソナーＡと４の高出力海上ソナーＢと５高出力海上ソナーＣで、２０通りの水中ソナー波を２０通りの無線波に変換して、２の人工衛星へ送り、リモートコントロールパネルに無線波として、送受信擦る事に拠って、水中ロボットの水中地図を使った誤差ゼロ作業を、可能にした１の全自動システム参考図Ａで有り、海底地図を使った水中作業を可能に擦る為の複数の異なった周波数を積載した複数の送受信装置を積載した複数のＧＰＳつまり、人工衛星一台で、複数の全自動海底作業を、不可能から可能にした複数ＧＰＳ技術。
【００８１】
本考案の図２の全自動自動車及び、全自動無人走行システムが、全自動自動車と称した場合の、道路上でのスリップ及び道路上での障害物に拠る自動車の跳ね上がり、道路破損に拠る予期出来ない全自動自動車及び、全自動無人走行システム車の道路地図上での無理な進行方向転換及び良きしない道路地図上での方向転換事故を、直ぐにハンドル操作等で、回避擦る為の説明図に成り、１６の全自動自動車は、１３の複数電波受信発電回路内蔵装置の１１のＧＰＳ電波中継鉄塔と１２の高出力六角形状圧電素子連結発電回路シート内蔵型ソーラーパネル人工衛星と１４の高出力六角形状圧電素子連結発電回路シート電波受信Ｗ発電型簡易ソーラーパネル補助発電式ソーラーパネル人工衛星が、天空の地球軌道に二台の人工衛星と、例えば地上高９９９メートルの１１のＧＰＳ電波中継鉄塔を例えば建てた場合、１６の全自動自動車に取り付けられて入る自動車の前部分左右二か所のＧＰＳ送受信装置と自動車の後部左右二か所のＧＰＳこれらは、１１のＧＰＳ電波中継鉄塔で四つの異なった周波数のＧＰＳ位置確認波の確認を行い、更に、一般使用去れているカーナビゲイションのＧＰＳ電波送受信位置確定認識作動装置で知られている１４の高出力六角形状圧電素子連結発電回路シート電波受信Ｗ発電型簡易ソーラーパネル補助発電式ソーラーパネル人工衛星に四つの異なった周波数のＧＰＳ位置確認波の確認を行い１２の高出力六角形状圧電素子連結発電回路シート内蔵型ソーラーパネル人工衛星でも、１６の全自動自動車に取り付けられて入る自動車の前部分左右二か所のＧＰＳ送受信装置と自動車の後部左右二か所のＧＰＳ受信に拠って、三重の道路上の１６の全自動自動車の前後左右の道路地図上の位置確認擦る為の手段説明としての、四つの異なった周波数積載の四つの異なった周波数を持つＧＰＳ位置確認波の確認を行う事で、道路上でのスリップ及び道路上での障害物に拠る自動車の跳ね上がり、道路破損に拠る予期出来ない全自動自動車及び、全自動無人走行システム車の道路地図上での無理な進行方向転換及び良きしない道路地図上での方向転換事故を、直ぐにハンドル操作等で、回避擦る為の道路走行を不可能から可能にした複数ＧＰＳ技術。
【００８２】
本考案の１６の全自動自動車及び、全自動無人走行システムが農耕地を走行した場合の設定を視野にした、２０の全自動システムトレーラー及び全自動トラクター牽引に対しての、平坦な農耕地及び傾斜地の農耕地での農作業を、全自動システムで、行った場合を想定した図３の２０の全自動システムトレーラーの道路位置及び農耕地複数設置型ＧＰＳ位置説明に入る。
従って、図１と図２に於いて、一つの全自動として、人の五感全てを持ちえた全自動ロボットは、最初に起動した頃は、〇歳児知能から、一気に１５歳まで、引き上がる理由として、ロボット動作の安全自覚操作作動に成り、それを、不可能から、可能にしたのが超小型ウルトラスーパーコンピューターの出現に成り、世界地図は、北緯と南緯と経緯で、区分けされて入るが、人の見る目の世界地図の縦ライン横ラインの経緯度線を、示した地図は、現在のカーナビゲイションの道路地図にも、存在しないのが事実に成る。
然しながら、未来的には、人工増加の限度数と食物生産の限度が、分かる時代では、過程として、世界中の道路全てを、全自動化した場合と過程した場合は、現在のカーナビゲイション技術を、実写画像技術及び立体画像技術にしても、全自動自動車及び、全自動無人走行システムの、完全自動化と安全と完全補償賠償を約束された全自動自動車及び、全自動無人走行システムに成ると完全に動く物体の動作行動如何なる条件の基での、動作行動説明が保証されなければ成らない。
従って、複数の周波数の異なったＧＰＳを積載しなければ、止まって入ると想定された自動車と異なる道路走行条件でも、対応出来る全自動自動車及び、全自動無人走行システムが必要視去れる。
異なる図３の、２０の全自動システムトレーラーは、十字路走行及び三叉路走行及び、バック走行及び、走行不可能な幅の無い道路及び、道路幅２センチメートルの余幅しか無い道路走行を、無人化全自動走行にした場合の説明に成る。
本題の、図３に於いて、２０の全自動システムトレーラーは、図１と図２で説明した複数の異なった周波数を持ちえた複数ＧＰＳが全自動自動車及び全自動ロボットには、絶対積載が不可欠なのを、理解して戴けた上で、再確認の上での説明に成る。
図３の２０の全自動システムトレーラーは，１２の高出力六角形状圧電素子連結発電回路シート内蔵型ソーラーパネル人工衛星（通常人工衛星）に対して、２０の全自動システムトレーラーは，最低８個のトレーラー頭部分の先頭前部分左右一カ所ずつの周波数の異なった四種類のＧＰＳ無線波と後部左右一カ所ずつの周波数の異なった四種類のＧＰＳ無線波の合計８種類のＧＰＳ無線波を、１２の高出力六角形状圧電素子連結発電回路シート内蔵型ソーラーパネル人工衛星に送受信して、２０の全自動システムトレーラーの十字路及び三叉路及び道路幅の狭い道路及びバック走行を、全て全自動で行う場合は、最低でも、８個の周波数の異なったＧＰＳ送受信無線波を絶対必要視去れる事に成る。
従って、１７のＧＰＳ全自動スクリュー電波中継再生プラスチックビニールゴム芯入り鉄塔は、鉄塔筒内部の劣化防止と強度を増す為の工夫した鉄塔に成り、此処でも８個の周波数の異なったＧＰＳ送受信無線波を絶対必要視去れる事に成る。
更に、１８の高出力ソーラーパネル人工衛星Ｂでも、８個の周波数の異なったＧＰＳ送受信無線波を絶対必要視去れる事に成り、１２の高出力六角形状圧電素子連結発電回路シート内蔵型ソーラーパネル人工衛星と１７のＧＰＳ全自動スクリュー電波中継再生プラスチックビニールゴム芯入り鉄塔と１８の高出力ソーラーパネル人工衛星Ｂこれら、三種のＧＰＳ位置全自動確認確定作動の為の装置は、全自動と称する２０の全自動システムトレーラー及び１０の全自動水中ロボット及び１６の全自動自動車のＧＰＳ装置の内一つでも、壊れても、通常全自動走行出来る全自動の為の複数の周波数の異なったＧＰＳ無線波装置を積載内蔵した自動車及びロボット及び家電説明が同等の説明に等しく成る。
【００８３】
図４の２４の全自動建設機械で、完璧に建設作業の作業開始から、工事を終えるまでを、完全無人化に擦る場合は、２４の全自動建設機械の他に、全自動境界位置データ送受信機能付き境界杭が、多く使用される事と、工事監視員の代わりを務める全自動人型ロボットが、複数必要に成り、人工衛星と空の監視に山岳ヘリコプターが数台必要視去れる事と、建設機械のメンテナンス回数を、減らす為の電気化及びピン回りの電磁石回転方式のピン回り及び、減りの激しい部分の完全アタッチメン凸ス交換及び防塵防護施設及び完全永久使用の為の施策(建築物では、鋼鉄組み立て方式のクリスタル強化軽量ガラス建築物及び道路は、リニアー道路及び歩道は、反重力低速歩道及び、風雨雪を防ぐスクリュー風カーテン紫外線及び赤外線を軽減指せる為の複数カラー光の太陽光遮断装置及び地下菜園パーク街までの自給自足社会に対して、必要経費の出費を抑える為の完全無人自動化説明に入る為の２４の全自動建設機械説明に成る。
従って、図４の２４の全自動建設機械説明として、全自動建設機械の油圧圧力負担軽減の為に、油圧ホイストの電気モーター補助及デストルドービーターの電気モーター補助及び油圧旋回モーターの電気モーター補助走行モーターの電気モーター補助及びセンタージョイントバルブの電気モーター補助及び作動油遠心分離機の完全設置に拠って、機械劣化を遅らせる事と発電機積載のモーター補助油圧作動の半電気化の建設機械使用に成る。
これ等の事を、踏まえた説明を始める。
図４の２４の全自動建設機械は、其々の機種に拠って、ＧＰＳ周波数の異なった無線波送受信装置の取り付け部分が異なる。
例えば、ブル及びローラー及び重ダンプの中折れ形の装置では、先頭部分の前側左右二か所と後部左右二か所の異なった周波数が異なるＧＰＳ無線波四個積載と中折れ後部前側左右二か所と後部左右二か所の異なった周波数が異なるＧＰＳ無線波四個積載の合計周波数の異なったＧＰＳ無線波八個積載型と通常ブルの場合は、排土板左右に、一カ所ずつの異なった周波数を持つＧＰＳ送受信装置六個程度必要視され、バックホーでは、機械本体の前側両サイド一カ所ずつと後部左右に一カ所ずつと、バケット部分両サイドに一カ所ずつとブーム先端部分の両サイド一カ所ずつとアーム部分の先端部分の左右一カ所ずつの合計１０個の周波数の異なったＧＰＳ無線波が必要視され、残りは、レントゲンガンマー放射線粒子飛散防止パネル付きカメラで、地山等の安全確認を図る。
そして、此処でも、２１の高出力人工衛星と２２の高出力山岳ヘリコプターＧＰＳ波中継装置其々に、２３の１０テン波ＧＰＳ位置送受信波が、其々、２１の高出力人工衛星と２２の高出力山岳ヘリコプターＧＰＳ波中継装置に合計２０種類の周波数の異なった無線波が十個ずつ２１の高出力人工衛星と２２の高出力山岳ヘリコプターＧＰＳ波中継装置其々に流れる事で、２４の全自動建設機械本体の位置だけは、確保出来る事に成る。
【００８４】
図５の２５の複数カラーライン接点全自動位置確認認識カメラ装置は、（特許文献２７）特開２０１２―１２０４４０号の国の全額借金返済と都道府県市町村区の全額借金返済の為の多機能電気自動車著作権原本に書かれて入る特許請求文章の中の技術に成り、本考案の実用新案登録の請求文章の（請求項１）の全自動無人走行自動車の一つの通常ＧＰＳに対して、本考案は、自動車の前後左右に対して、前部分両サイド左右一カ所ずつと後部両サイド左右一カ所ずつに、異なった周波数つまり、四個のＧＰＳ波が、位置混乱指せない為の、一車の自動車に対して、四個の異なった周波数の送受信出来るＧＰＳを一車の自動車に積載した一車の自動車位置を、道路地図上のどの位置からも、位置特定認識作動説明出来る一車の自動車に対して、四個の異なった周波数の送受信出来るＧＰＳを設置する事を特徴とした全自動無人走行自動車の道路地図上に於いての位置特定擦る為の特殊ＧＰＳが、全く作動しなくても、超小型の自動車専用カメラとして、他のカメラ会社と異なるレンズ及び異なるＣＣＤ装置及び異なるモーター望遠装置に成り、カメラのカバー装置は、竹灰入り塩化プラスチック材使用構造に成る。
従って、２５の複数カラーライン接点全自動位置確認認識カメラ装置のカメラ構造説明として、カメラ先端部分は、３３の防護用圧縮ガラスパネル構造に成り、次に２９の大レンズ部分の中心部は、２６の    アクリルパネル部分が内蔵に成った用途外使用の自動車のサイドライン確認用カメラに成り、ＮＨＫ特許権のハイビジョンカメラの特許権切れの用途外使用のカメラ構造違いの別特許が成立擦る用途外特許に成り、次に凸レンズも、通常凸レンズと異なる中央が普通の凸レンズに成り、外側が魚眼レンズ構造のＷレンズ構造に成り、更に、Ｗレンズ構造の中央は、２６のアクリルパネル部分が内蔵に成った用途外使用のアクリルパネル入りのＷレンズ構造に成り、凸レンズも大レンズも、アクリルパネル入りのレンズだから、非常に明るいレンズだが、ハイビジョンカメラレンズとしは、無理に成る。
然しながら、軽水素入りのアクリルガラスレンズは、ハイビジョンレンズとは、全く、特許権切れからでは、アクリルパネルの凸レンズと大レンズの二枚入りカメラレンズに対して、軽水素入りアクリルパネル入りＷ凸レンズは、確かに、別特許権に成り得るが、３１の高出力軽水素トリチウム電子ガス入りＣＣＤパネルは、通常のＣＣＤつまり、シリコンＣＣＤ及びダイオードＣＣＤそして、軽水素ガス入りアクリルビニールＣＣＤ及び軽水素ガス入りビニールＣＣＤそして、軽水素入りシリコンＣＣＤ及び軽水素入りダイオードＣＣＤこれらは、何れも、光反応スピードが速いＣＣＤ技術に成り、この軽水素ガス入りＣＣＤを使うと、ハイビジョン画像に間違えられる程、明るい映像に成るのも間違い無い。
最後に、車に取り付け易い様に３２のナット部分構造に成って要る。
【００８５】
図６の３４の五変化高出力スピーカーは、本考案の１６の全自動自動車に必要な一つのＧＰＳ装置に対して、複数周波数の複数の無線ＧＰＳ送受信装置に成り、３４の五変化高出力スピーカーは、安全装置の連絡音声収納スピーカーは、３５の高出力高音スピーカー部分と３６の高出力中高音スピーカー部分と３７の高出力低温スピーカー部分と３８の高出力中低温スピーカー部分と３９の高出力録音音響設定スピーカー部分と４０の防音ゴムカバースピーカー金属部分からの五種類を一つにした構造に成る。
【００８６】
図７の４１の高弱アルファ線一粒粒子入りシリコンダイオード圧電素子スイッチは、４１の高弱アルファ線一粒粒子入りシリコンダイオード圧電素子スイッチに対して４２のシリコンダイオードスイッチ部分そして、４３の弱アルファ線一粒粒子部分が続き４４の圧電素子磁石体部分と成り、続いて４５の軽水素入りシリコンダイオードスイッチ部分最後に４６の鉛水入りシリコンダイオードスイッチ部分と成る４１の高弱アルファ線一粒粒子入りシリコンダイオード圧電素子スイッチに成り、宇宙空間のマイナス数百度マイナス数千度の宇宙空間でのスイッチ対応と考える次第で有り、問題点は、シリコンダイオードを、凝固指せない対策技術説明に成り、宇宙空間のＧＰＳ位置確認の４１の高弱アルファ線一粒粒子入りシリコンダイオード圧電素子スイッチに成る。
【００８７】
図８の異なった４２のシリコンダイオードスイッチ部分の説明に成り、４７の弱ガンマ線一粒粒子ダイオードスイッチ部分が中心部に成り、続いて４５の軽水素入りシリコンダイオードスイッチ部分が連なり４４の圧電素子シリコン磁石体部分に対して４６の鉛水入りシリコンダイオードスイッチ部分が最終のガード帯に成る。
【００８８】
図９の４８の高出力六角形状圧電素子連結発電回路型レールモーター装置は、日本の電気メーカー全社が主張擦る本著作権者のモーター名称は、レールモーターそして、日本の電気産業全社のモーター名はリニアーモーターに成り、此処で追加説明として、特許権に複数企業発明者は、存在しない為、何度も、特許文章で、著作権原本の先発明と先技術説明の主張をしても、回答が無い為、モーター自体を、全て別の技術体に変える必要とは、絶対にマネの出来ない技術盗作出来ない技術モーターに変える必要が有ったばかりか、モーター自体は、元々は、海外技術の様で有り、一度日本特許庁で見た事が有る、この当時、日本のテレビ産業そして、モーター産業を新たに築くスタイルを日本の特許庁で見た事に成る。
然しながら、アンラッキーの海外も、日本の電気企業全社が、真似の出来ないモーター技術とは、モーターから、モーターコイルを無くしたモーターに擦る為に、高出力六角形状圧電素子連結型発電回路装置は、モーターの内部構造すら変える事に成る。
例えば、全てのコイル無モーターの全世界の販売利益は、数千兆円の上の数京円及び数十京円の利益に成り、本著作権者の財団が、トップに名乗りたいのも、信念と言える。
何故なら、海外企業も、日本企業も、数千兆円の上の数京円及び数十京円の株資産利益及び貴金属利益資産を所有しても、日本マスコミ新聞は、一度も口にしないのも、現状だと言えた長い冬の季節で有った。
従って、一つの全自動自動車を、世界中の公道で走らせる為には、発電機技術とバッテリー技術を、特許権所有無では、コイル無モーターの特許権貧乏に成り得て地の底に落ちるかは、今後の著作権者次第なのも、理解しなければ成らない。
従って、５１の六角形状モーター軸装置は、５３の連結型コイル無高出力六角形状圧電素子内側回転体発電回路部分に対して、外側固定部分の５２の高出力六角形状圧電素子連結型コイル無発電回路部分から成り、続いて４９の高出力インバータ磁極切り替え装置と５０の高出力インバータ磁極切り替え装置または、高出力リレー装置に成るが、通常インバータ技術と通常リレー技術は、これ又海外技術の様で有り、最終的には、此の部分は、著作権本人の家系図未来永劫書き換え続けなければ成らないのも、言うまでも無い。
【００８９】
図１０の６０の高出力六角形状圧電素子連結発電回路型電気配線は、５４の通常プラス電気に対して、圧電素子連結発電回路を中心体として、５６の高出力六角形状圧電素子連結部分に対して５５の連結銅鉛配線部分と５８の連結銅配線部分と５７の竹灰入りプラスチックゴム絶縁表皮部分がカバーに成る事で５９のプラス増幅電気を得る事の出来る特殊プラス電気配線。
【００９０】
図１１の６０の高出力六角形状圧電素子連結発電回路型電気配線は、６１の通常マイナス電気に対して、圧電素子連結発電回路を中心体として、５６の高出力六角形状圧電素子連結部分に対して５５の連結銅鉛配線部分と５８の連結銅配線部分と５７の竹灰入りプラスチックゴム絶縁表皮部分がカバーに成る事で６２のマイナス増幅電気を得る事の出来る特殊マイナス電気配線。
【００９１】
図１２の６３の連結型高出力六角形状圧電素子連結発電回路装置は、６４の通常プラス電気Ｂと６５の通常マイナス電気Ｂを６６の六角形状軽水素トリチウム電子ガス入り軽量圧電素子磁石体にプラス電気配線とマイナス電気配線の別々の電気配線構造に擦る事で、プラス増幅電気配線とマイナス増幅電気配線を可能にした技術。
【００９２】
図１３は、全自動自動車に積載予定の全自動カメラレンズパネル説明。
従って、６７の四分割機能レンズは６８の赤外線ガス入りプラスチックパネルと６９の紫外線ガス入りプラスチックパネルと７０の弱アルファ線入りプラスチックパネルと７１の弱ガンマ線入りプラスチックパネルと７２の四分割弱多種放射線等ガス入りカメラレンズパネルを一つのカメラレンズとして、分割組み合わせた特殊カメラレンズ。
【００９３】
図１４は、７３のカラー色ラインカメラ全自動位置認識確認連絡装置の説明図に成り、全自動自動車積載技術に成る。
従って、７５の大レンズの次に７６の突レンズが続き７４の光反射筒部分が続き、７７の軽水素トリチウム電子ガス入りＣＣＤパネル部分と７８のカラー色ガラス部分と７９の二重発光ライトの続く７４の光反射筒部分は、直径一センチメートル程度のリング状ライトの輪を超小型カメラが、確認認識作動出来る装置。
【００９４】
図１５は、全自動自動車ＧＰＳ位置出しの説明図。
従って、９０の自動車に対して、８０の電波送受信型人工衛星と８１の電波送受信型山岳ヘリコプターとの三角点の電波送受信に拠る距離と地図位置を作り上げるシステムに対して、８０の電波送受信型人工衛星と８１の電波送受信型山岳ヘリコプターとの距離を、８２の距離〜Ａとして、８１の電波送受信型山岳ヘリコプターと９０の自動車に対して８３の距離〜Ｂとして、次に、８０の電波送受信型人工衛星と９０の自動車に対しての距離を８４の距離〜Ｃとし、８０の電波送受信型人工衛星の８４の距離〜Ｃへ８５の第一ＧＰＳ送受信波と８６の第二ＧＰＳ送受信波と８７の第三ＧＰＳ送受信波と８７の第四ＧＰＳ送受信波と８９の第五ＧＰＳ送受信波を８０の電波送受信型人工衛星に送る事で、正確なミリ単位位置が９０の自動車位置として道路地図記載出来る。
更に、８１の電波送受信型山岳ヘリコプターへ９０の自動車に対して８３の距離〜Ｂとして、８５の第一ＧＰＳ送受信波と８６の第二ＧＰＳ送受信波と８７の第三ＧＰＳ送受信波と８７の第四ＧＰＳ送受信波と８９の第五ＧＰＳ送受信波を８１の電波送受信型山岳ヘリコプターに送る事で、正確なミリ単位位置が９０の自動車位置としてＷ道路地図記載出来る全自動走行自動車の為の複数ＧＰＳ。
【００９５】
図１６は、別の全自動自動車ＧＰＳ位置出しの説明図。
従って、９０の自動車に対して、８５の第一ＧＰＳ送受信波と８６の第二ＧＰＳ送受信波と８７の第三ＧＰＳ送受信波と８７の第四ＧＰＳ送受信波と８９の第五ＧＰＳ送受信波を９１の高出力発電回路内蔵型人工衛星と９２のＧＰＳスクリュー無線電波距離計測中継鉄塔へ９３の複数周波数ＧＰＳ送受信波を送受信させて、誤差ゼロのＧＰＳ位置出しを可能にした複数周波数送受信ＧＰＳ。
更に、９４の道路位置カメラ被写体位置連絡情報装置に８５の第一ＧＰＳ送受信波と８６の第二ＧＰＳ送受信波と８７の第三ＧＰＳ送受信波と８７の第四ＧＰＳ送受信波と８９の第五ＧＰＳ送受信波を９３の複数周波数ＧＰＳ送受信波を送受信させて、誤差ゼロのＧＰＳ位置出しを可能にした複数周波数送受信ＧＰＳ。
【００９６】
図１７は、９０の自動車に対して、９５の高出力軽量機械式発電機積載型人工衛星へ９７のＡの異なった周波数ＧＰＳ波と９８のＢの異なった周波数ＧＰＳ波と９９のＣの異なった周波数ＧＰＳ波と１００のＤの異なった周波数ＧＰＳ波と１０１のＥの異なった周波数ＧＰＳ波と１０２のＦの異なった周波数ＧＰＳ波を全自動送受信指せる事で、９０の自動車に対しての正確な誤差ゼロ位置を出す事が出来る。
更に、９６の軽量パネル積載型山岳ヘリコプターへ９７のＡの異なった周波数ＧＰＳ波と９８のＢの異なった周波数ＧＰＳ波と９９のＣの異なった周波数ＧＰＳ波と１００のＤの異なった周波数ＧＰＳ波と１０１のＥの異なった周波数ＧＰＳ波と１０２のＦの異なった周波数ＧＰＳ波を全自動送受信指せる事で、９０の自動車に対しての正確な誤差ゼロ位置をＷで出す事が出来るＧＰＳに成る。
そして、１０３の溝堀型中央道路車線は、１０６の前方全自動カラーライトラインカメラ装置に拠って、１０４の溝堀全自動自動車用位置確認ラインと１０５の溝堀左白線を、全自動距離自動車位置を全自動確認認識作動出来る装置。
【００９７】
図１８は、９０の自動車に対しての、別の自動車道路地図上と道路上のＧＰＳ位置確認認識作動装置に成る。
従って、１０６  前方全自動カラーライトラインカメラ装置は、１０３の溝堀型中央道路車線と１０４の溝堀全自動自動車用位置確認ラインと１０５の溝堀左白線を１０６の前方全自動カラーライトラインカメラ装置に拠って、確認認識作動出来る装置に成る。
更に、道路の白線ライン上及び、黄色ライン上に於いて、１０７の黄色ライト及び１０８の電波発信装置と１０９の電波発信位置特定装置と１１０の部分的反射板入り中央ライン１１１の光吸収発光ライト中央ライン等の電波受信距離及び自動車カメラのカメラ被写体距離確認に拠って、９０の自動車を道路地図上及び道路上に於いて特定出来る道路上での９０の自動車に対しての、別の自動車道路地図上と道路上のＧＰＳ位置確認認識作動装置に成る。
【００９８】
図１９は北海道知事宛に送った文書図面著作物の北海道知事郵便物受理書を、特許実用新案登録インターネット公開する為の手続きに成る文書の写し図。
【００９９】
図２０は１１２の全自動家電は、海外の全自動家電と異なる方式として、１１３の天井設置型室内固定位置全自動確認認識連絡装置を固定位置と定め、１１４の室内設定インプット立体画像地図と１１７のニャンワン全自動掃除機其の他の装置へ室内地図位置連絡を行い、１１７のニャンワン全自動掃除機其の他に１１５の複数カラーライトラインカメラ被写体距離認識装置と１１６の全自動被写体形状認識カメラ焦点距離データ地図書き込みシステム装置を積載した１１７のニャンワン全自動掃除機其の他の室内での掃除機の位置出し室内地図位置説明に於いての室内掃除の有り方説明に成る。
【０１００】
図２１の１１７の  ニャンワン全自動掃除機其の他の作動させる為の構造説明として、高出力二連振り子型機械式発電機の電源に拠って、１２１の  二酸化炭素臭素アンモニアトリプル感知器と１２２の  コイル巻数磁石違い五変化音マイクと １２６のタイヤと１２４のゴミ吸引口と１２５の全自動モーターゴミ捨て機と１２７の画像パネルと１１９の室内天井位置全自動位置確認装置に拠って、全自動作動出来る掃除機に成り、１１８の高出力ＣＣＤパネルは、１２０のアクリルパネル内蔵突レンズと１２８のガラス突レンズと１２９のカラーフイルタと１３０の正方形マスクと１３１の正方形受光素子と１３２の新技術軽水素入りシリコンダイオード受光素子と１３３のアクリルシートと１３４のシリコンダイオードシートと１３５の弱圧縮熱接合と１３６の１６画素つまり、１６本×２配線と１３７のトランジスタスイッチシートを取り付ける事で、二重の全自動室内ニャンワンロボット掃除機説明に成り、１２３の内蔵スイッチボードと１２７の画像パネルと１１８の高出力ＣＣＤパネル其々に１３８の各配線が取り付く構造に成る。
【０１０１】
図２２のカメラＣＣＤは、１３３のアクリルシートに対して、１３４のシリコンダイオードシートが取り付き１３２の新技術軽水素入りシリコンダイオード受光素子が連なり、１４０の軽水素入りダイオードトランジスタスイッチシートに対して１４１の重ね合わせ３２本足配線ＣＣＤが取り付いた１３９のカメラＣＣＤの構造に５７の竹灰入りプラスチックゴム絶縁表皮シート部分が取り付けられたカメラＣＣＤ説明に成る。
【０１０２】
図２３の、５３２の高出力ソーラーパネル充電型六角形状圧電素子発電回路型レールモータードリルは、デザイン電動ドリルモーター説明に成る。
従って、５３３のレンズは、５３２の高出力ソーラーパネル充電型に成り、本体の５３２の高出力ソーラーパネル充電型六角形状圧電素子発電回路型レールモータードリルは、５３４の高出力六角形状圧電素子連結発電回路型レールモーターが積載され、５３８のプラス充電池と５３９のマイナス充電池のプラスマイナス別々の個体に成り、本体は、５４３の竹灰フッ素入りビニールシートと５４４の砂鉄粒子フッ素入りプラスチックガラスシートと５４５の石炭灰フッ素入りグラスフアィバーシートと５４６の生塵灰フッ素入りグラスファィバーシートと５４７の粘土フッ素入りグラスファィバーシートと５４８の黒土フッ素入りグラスファィバーシートと５４９の鹿沼土フッ素入りグラスファィバーシートと５５０の石灰フッ素入りプラスチックシートと５５１の竹灰フッ素入りプラスチックシートを多層式に重ねた５３５のプラスチックゴム補助カバー溶着方式と５３６のプラスチックゴム手カバー溶着方式を使ったモータードリル本体に成り、５４１の八角軸は５４２の突起を差し込み５４０の蝶番装置をかぶせて５３７のリングナット嵌め込んで固定擦る構造に成る。
【０１０３】
図２４の、５５４の全自動バックホーに対して、５５２の高出力六角形状圧電素子連結発電回路型ソーラーパネル人工衛星と５５３の高出力山岳ヘリコプターとの三角点距離内を、５５５の７箇所位置全自動確認装置に拠って、５５４の全自動バックホー動作を完全認識し、計画図面地図位置を、作成して５５４の全自動バックホーにインプットした上で、全自動作業擦る装置。
但し、ＧＰＳ送受信境界杭など、全自動人型ロボットガードマンなど、他の人を、一切使わない全自動小道具装置が、必要に成り、バックホーの油圧コントロールバルブ及び油成分調節装置等が、必要視去れるのも間違い無い。
【０１０４】
図２５の、１４７の２基以上の空中人工衛星と自動車等の４点位置に対して人工衛星間の自動車位置の四点距離の全自動２４時間計測システムでは、１４２の同国第一人工衛星と１４３の同国第二人工衛星を使った二重の四か所異なる周波数ＧＰＳ装置を、別の四か所異なる周波数ＧＰＳ装置を別の人工衛星に飛ばさなければ成らないシステムに成る。
従って、１４４の二つの人工衛星の直線距離を計算したデータを取得し全自動三角点位置距離データ送信を行える人工衛星に成り、１４５の第一人工衛星と自動車等の距離２４時間全自動計算システムと１４６の第二人工衛星と自動車等の距離２４時間全自動計算システムに拠って、全自動装置が、２４時間フル稼働出来る説明に成る。
【０１０５】
図２６の、１４７の２基以上の空中人工衛星と自動車等の４点位置に対して人工衛星間の自動車位置の四点距離の全自動２４時間計測システムは、１４８の地域で一番高い山に建てられた電波中継鉄塔と自動車等の四点距離の全自動計測擦る為に、１４９の第一スクリュー無線波送受信立体地図位置割り出し特定装置と１５０の第二スクリュー無線波送受信立体地図位置割り出し特定装置と１５１の第三スクリュー無線波送受信立体地図位置割り出し特定装置と１５２の第四スクリュー無線波送受信立体地図位置割り出し特定装置これら、四種類の異なった周波数のスクリュー無線波送受信立体地図位置割り出し特定装置が必要に成る。
【０１０６】
図２７の、１５３の財団専用人工衛星は、１５４の自動車等の車両の同一車線上の複数の他車からの電波距離全自動計測ＧＰＳ位置再確認送受信装置に対して、１５５の他車へのＧＰＳ距離送受信転送全自動装置に拠って、追い越し等を、全自動処理擦る。
従って、同一進行車線上の車及び対抗車線上の車を道路地図車線上の１５６の位置特定波で、ＧＰＳ道路地図自動車位置管理を、行えるシステムも必要視去れる。
以下、参考説明図として図説説明とする。
【符号の説明】
【０１０７】
１      全自動システム参考図Ａ
２      人工衛星
３      高出力海上ソナーＡ
４      高出力海上ソナーＢ
５      高出力海上ソナーＣ
&#9357;      高出力水中段数ソナーＡ
７      高出力水中段数ソナーＢ
８      高出力水中段数ソナーＣ
９      高出力スクリュー水中無線ソナー波
１０    全自動水中ロボット  
１１    ＧＰＳ電波中継鉄塔
１２    高出力六角形状圧電素子連結発電回路シート内蔵型ソーラーパネル人工衛星
１３    複数電波受信発電回路内蔵装置
１４    高出力六角形状圧電素子連結発電回路シート電波受信Ｗ発電型簡易ソーラーパネル補助発電式ソーラーパネル人工衛星
１５    高出力スクリュー無線衛星波   
１６    全自動自動車
１７    ＧＰＳ全自動スクリュー電波中継再生プラスチックビニールゴム芯入り鉄塔
１８    高出力ソーラーパネル人工衛星Ｂ    
１９    ８エイト波ＧＰＳ位置送受信波
２０    全自動システムトレーラー
２１    高出力人工衛星
２２    高出力山岳ヘリコプターＧＰＳ波中継装置
２３    １０テン波ＧＰＳ位置送受信波
２４    全自動建設機械
２５    複数カラーライン接点全自動位置確認認識カメラ装置
２６    アクリルパネル部分
２７    突レンズ部分
２８    魚眼レンズ部分
２９    大レンズ部分
３０    高出力六角形状圧電素子連結型発電回路高出力六角形状圧電素子連結型発電回路棒状レールモーター
３１    高出力軽水素トリチウム電子ガス入りＣＣＤパネル
３２    ナット部分
３３    防護用圧縮ガラスパネル
３４    五変化高出力スピーカー
３５    高出力高音スピーカー部分
３６    高出力中高音スピーカー部分
３７    高出力低温スピーカー部分
３８    高出力中低温スピーカー部分
３９    高出力録音音響設定スピーカー部分
４０    防音ゴムカバースピーカー金属部分
４１    高弱アルファ線一粒粒子入りシリコンダイオード圧電素子スイッチ
４２    シリコンダイオードスイッチ部分
４３    弱アルファ線一粒粒子部分
４４    圧電素子磁石体部分
４５    軽水素入りシリコンダイオードスイッチ部分
４６    鉛水入りシリコンダイオードスイッチ部分
４７    弱ガンマ線一粒粒子ダイオードスイッチ部分
４８    高出力六角形状圧電素子連結発電回路型レールモーター装置
４９    高出力インバータ磁極切り替え装置
５０    高出力インバータ磁極切り替え装置
５１    六角形状モーター軸装置
５２    高出力六角形状圧電素子連結型コイル無発電回路部分
５３    連結型コイル無高出力六角形状圧電素子内側回転体発電回路部分
５４    通常プラス電気
５５    連結銅鉛配線部分
５６    高出力六角形状圧電素子連結部分
５７    竹灰入りプラスチックゴム絶縁表皮部分
５８    連結銅配線部分
５９    プラス増幅電気
６０    高出力六角形状圧電素子連結発電回路型電気配線
６１    通常マイナス電気
６２    増幅マイナス電気
６３    連結型高出力六角形状圧電素子連結発電回路装置
６４    通常プラス電気Ｂ
６５    通常マイナス電気Ｂ
６６    六角形状軽水素トリチウム電子ガス入り軽量圧電素子磁石体
６７    四分割機能レンズ
６８    赤外線ガス入りプラスチックパネル
６９    紫外線ガス入りプラスチックパネル
７０    弱アルファ線入りプラスチックパネル
７１    弱ガンマ線入りプラスチックパネル
７２    四分割弱多種放射線等ガス入りカメラレンズパネル
７３    カラー色ラインカメラ全自動位置認識確認連絡装置
７４    光反射筒部分
７５    大レンズ
７６    突レンズ
７７    軽水素トリチウム電子ガス入りＣＣＤパネル部分
７８    カラー色ガラス部分
７９    二重発光ライト
８０    電波送受信型人工衛星
８１    電波送受信型山岳ヘリコプター
８２    距離〜Ａ
８３    距離〜Ｂ
８４    距離〜Ｃ
８５    第一ＧＰＳ送受信波
８６    第二ＧＰＳ送受信波
８７    第三ＧＰＳ送受信波
８７    第四ＧＰＳ送受信波
８９    第五ＧＰＳ送受信波
９０    自動車
９１    高出力発電回路内蔵型人工衛星
９２    ＧＰＳスクリュー無線電波距離計測中継鉄塔
９３    複数周波数ＧＰＳ送受信波
９４    道路位置カメラ被写体位置連絡情報装置
９５    高出力軽量機械式発電機積載型人工衛星
９６    軽量パネル積載型山岳ヘリコプター
９７    Ａの異なった周波数ＧＰＳ波
９８    Ｂの異なった周波数ＧＰＳ波
９９    Ｃの異なった周波数ＧＰＳ波
１００  Ｄの異なった周波数ＧＰＳ波
１０１  Ｅの異なった周波数ＧＰＳ波
１０２  Ｆの異なった周波数ＧＰＳ波
１０３  溝堀型中央道路車線
１０４  溝堀全自動自動車用位置確認ライン
１０５  溝堀左白線
１０６  前方全自動カラーライトラインカメラ装置
１０７  黄色ライト
１０８  電波発信装置
１０９  電波発信位置特定装置
１１０  部分的反射板入り中央ライン
１１１  光吸収発光ライト中央ライン
１１２  全自動家電
１１３  天井設置型室内固定位置全自動確認認識連絡装置
１１４  室内設定インプット立体画像地図    
１１５  複数カラーライトラインカメラ被写体距離認識装置
１１６  全自動被写体形状認識カメラ焦点距離データ地図書き込みシステム装置
１１７  ニャンワン全自動掃除機其の他 
１１８  高出力ＣＣＤパネル
１１９  室内天井位置全自動位置確認装置
１２０  アクリルパネル内蔵突レンズ
１２１  二酸化炭素臭素アンモニアトリプル感知器
１２２  五変化音マイク    コイル巻数磁石違い
１２３  内蔵スイッチボード
１２４  ゴミ吸引口
１２５  全自動モーターゴミ捨て機
１２６  タイヤ
１２７  画像パネル
１２８  ガラス突レンズ
１２９  カラーフイルタ
１３０  正方形マスク
１３１  正方形受光素子
１３２  新技術軽水素入りシリコンダイオード受光素子
１３３  アクリルシート
１３４  シリコンダイオードシート
１３５  弱圧縮熱接合
１３６  １６画素   １６本×２配線
１３７  トランジスタスイッチシート
１３８  各配線
１３９  カメラＣＣＤの構造
１４０  軽水素入りダイオードトランジスタスイッチシート
１４１  重ね合わせ３２本足配線ＣＣＤ
１４２  同国第一人工衛星
１４３  同国第二人工衛星
１４４  二つの人工衛星の直線距離を計算したデータを取得全自動三角点位置距離データ送信
１４５  第一人工衛星と自動車等の距離２４時間全自動計算システム
１４６  第二人工衛星と自動車等の距離２４時間全自動計算システム
１４７  ２基以上の空中人工衛星と自動車等の４点位置に対して人工衛星間の自動車位置の四点距離の全自動２４時間計測システム
１４８  地域で一番高い山に建てられた電波中継鉄塔と自動車等の四点距離の全自動計測
１４９  第一スクリュー無線波送受信立体地図位置割り出し特定装置
１５０  第二スクリュー無線波送受信立体地図位置割り出し特定装置
１５１  第三スクリュー無線波送受信立体地図位置割り出し特定装置
１５２  第四スクリュー無線波送受信立体地図位置割り出し特定装置
１５３  財団専用人工衛星
１５４  自動車等の車両の同一車線上の複数の他車からの電波距離全自動計測ＧＰＳ位置再確認送受信装置
１５５  他車へのＧＰＳ距離送受信転送全自動装置 
１５６  位置特定波
１５７  全自動ハンカチ
１５８  圧電素子４電子磁気分割装置
１５９  第一弱電波送受信装置
１６０  第二弱電波送受信装置
１６１  第三弱電波送受信装置
１６２  第四弱電波送受信装置
１６３  横糸高出力発電糸
１６４  軽水素入りシリコンダイオード圧電素子磁石体粒子内蔵発電糸
１６５  軽水素フッ化カルシウム粒子入りアルゴンガス内蔵ビニールナイロンライト糸
１６６  音声回路二層アースＩＣチップシート
１６７  高出力楕円形連結圧電素子軽水素ビニールナイロン発電回路糸
１６８  中央折りたたみ位置スピーカー受信装置
１６９  位置音声発生固定位置非常位置認識超小型パネルシステム
１７０  第一高出力六角形状圧電素子連結発電回路内蔵型シリコンソーラーパネル第一アンテナスピーカー
１７１  第二高出力六角形状圧電素子連結発電回路内蔵型シリコンソーラーパネル第二アンテナスピーカー
１７２  第三高出力六角形状圧電素子連結発電回路内蔵型シリコンソーラーパネル第三アンテナスピーカー
１７３  第四高出力六角形状圧電素子連結発電回路内蔵型シリコンソーラーパネル第四アンテナスピーカー
１７４  高出力低周波受信認識装置
１７５  高出力ブロック波受信認識装置
１７６  高出力パターン波受信認識装置
１７７  高出力中波受信認識装置
１７８  竹灰入りプラスチックアルミニウム絶縁体シートパネル
１７９  軽水素入り高出力圧電素子磁石体
１８０  高出力電子カメラ
１８１  高出力銅筒官操作コイル
１８２  屈折板
１８３  第一高出力コンデンサーレンズ
１８４  第二高出力コンデンサーレンズ
１８５  プラス圧電素子４電子磁気分割装置
１８６  マイナス圧電素子４電子磁気分割装置
１８７  電気抵抗ゼロ電子銃
１８８  アノード電気抵抗ゼロ陽極
１８９  高出力銅筒官操作コイル  
１９０  倍率制御
１９１  増幅回路
１９２  光
１９３  対物
１９４  操作発生回路
１９５  映像
１９６  最新式登録実用新案第３２０３１０５号
１９７  高出力三色カラーライトライン装置
１９８  プラス高出力六角形状圧電素子連結型発電回路Ａ
１９９  マイナス高出力六角形状圧電素子連結型発電回路Ａ
２００  プラス圧電素子４電子磁気分割装置Ａ
２０１  マイナス圧電素子４電子磁気分割装置Ａ
２０２  アルゴンガス入りグラスフアィバーライトパネル
２０３  軽水素入りフッ化カルシウムライトパネル
２０４  二重発光ライトパネル形式
２０５  通常プラス電気
２０６  通常マイナス電気
２０７  赤青黄三色光
２０８  三色光仕切り板
２０９  赤色ガラス
２１０  青色ガラス
２１１  黄色ガラス
２１２  光絞り官
２１３  三眼カメラ物体形状認識装置
２１４  各プラスマイナス圧電素子４電子磁気分割装置
２１５  弱アルファ放射線入りプラスチックシート内蔵鉛水入りクリスタルガラスパネル
２１６  弱ガンマ放射線入りプラスチックシート内蔵鉛水入りクリスタルガラスパネル
２１７  高出力軽水素入りＣＣＤパネル
２１８  凸レンズ
２１９  高出力六角形状圧電素子連結型発電回路移動スイッチ
２２０  高出力ＧＰＳ受信機
２２１  衛星波受信アンテナ装置
２２２  圧電素子チップフィルタ
２２３  軽水素入りアンテナ電波検出器
２２４  圧電素子粒子入りダイオードＢＰＦ（ＳＡＷフィルタ）
２２５  ミキサ（周波数変換器）
２２６  プリスケーラ
２２７  電圧制御発信機
２２８  位相比較
２２９  時計機能付きＧＰＳ同期型基準信号発生器
２３０  不要周波数帯混入カット遮断装置
２３１  第一中間周波数圧電素子ダイオードフィルタ
２３２  第二中間周波数圧電素子ダイオードフィルタ
２３３  周波数変換機
２３４ （ＰＬＬ回路）位相雑音取り除き装置
２３５  ＴＣＸＯ温度補償水晶発振器
２３６  位置データ
２３７  クロックベースバンド多層式カードボックス回路
２３８  ＧＰＳ受信ブロック図
２３９  アンテナ
２４０  ＧＰＳモジュール
２４１  ＳＡＷ電波フィルタ
２４２  ＬＣ電波フィルタ
２４３  ＳＡＷフィルタ不要電波取り除き装置
２４４  圧電素子４電子磁気分割装置Ｂ
２４５  ＩＣ多層式タグ
２４６  ベースバンドＩＣ
２４７  測位結果
２４８  制御コマンド
２４９  ベースバンドＩＣ内部ブロック図
２５０  ＲＦブロック
２５１  ＣＬＯＣＫ衛星山岳ヘリコプター時間
２５２  ＤＡＴＡ圧電素子電波収録データ
２５３  電波データ相関器
２５４  ＰＬＬ回路位相雑音取り除き装置 
２５５  ＣＰＵ ＡＲＭ７データ加速器
２５６  ＵＡＲＴ全二重位置計測装置
２５７  多層メモリーインターフェース
２５８  パスブリッジ
２５９  データの入出力（パソコン及びマイコン）
２６０  フラッシュメモリ
２６１  外部多層メモリ圧電素子カードボックス
２６２  マスクＲＯＭ圧電素子磁気記憶装置
２６３  ＲＡＭ圧電素子磁気記憶装置
２６４  リアルタイムクロック（ＲＴＣ）衛星時間表示装置
２６５  電気
２６６  ＧＰＳ山岳ヘリコプター波受信機
２６７  山岳ヘリコプター
２６８  電波
２６９  アンテナ
２７０  高速スクリュー高周波増幅部
２７１  ミキサ周波数変換器
２７２  ＡＤ変換器
２７３  局部発振器
２７４  コード相関部Ｃ／Ａ復調
２７５  ＣＰＵ処理部  航法データの復調  衛星山岳ヘリコプターの軌道演算等位置演算等
２７６  シリアルデータ出力 （位置  速度  時刻のデータ呼び出し取り決め符号）
２７７  新技術コンデンサ
２７８  通常コンデンサ
２７９  企業個人財産盗作
２８０  回避
２８１  竹灰入りセラミックカバー型炭素石灰水素粒子入り銅筒官コンデンサ
２８２  回路基板足に差し込むタイプ
２８３  スプリング部
２８４  炭素石灰部分
２８５  カバー
２８６  鉛芯入り鉄筒ピン足
２８７  ビニール黒土リン化合物粒子入り木材灰入り陶器粒子化合コンデンサ
２８８  ビニール黒土リン化合物粒子
２８９  高出力圧電素子粒子入り鉄鉛アルミニウム合金ピン足
２９０  発電コンデンサ
２９１  高出力六角形状圧電素子連結型発電回路
２９２  生塵灰入りガラス絶縁体カバー型
２９３  六角形状圧電素子ライン粒子青粘土硫黄入りアルゴンガス入りナイロン粒子コンデンサ
２９４  木材灰入り陶器絶縁体カバー型
２９５  竹灰入りセラミックカバー型六角形状圧電素子ライン粒子白粘土フッ化カルシウム水素コンデンサ
２９６  竹灰入りセラミックカバー型
２９７  丸型発電コンデンサ
２９８  四角型発電コンデンサ
２９９  六角型発電コンデンサ
３００  全自動ロボット家電専用ブロックボックス集脳回路
３０１  通常集積回路
３０２  多層式圧電情報素子
３０３  多層式圧電情報素子口スピーカー音声ブロック
３０４  多層式圧電情報素子口マイク耳ブロック
３０５  多層式圧電情報素子口手モーター作動ブロック
３０６  多層式圧電情報素子口足走行モーター作動ブロック
３０７  指示ブロック
３０８  複数波発振回路
３０９  スピン受信機
３１０  全自動自動車の内側室パネルライトの構造-
３１１  マイナスドライバー口カバー
３１２  マイナスドライバー差し込み回転部分
３１３  二重発光ライト玉
３１４  ネジ部分
３１５  プラスドライバー口カバー
３１６  プラスドライバー差し込み回転部分
３１７  ネジ嵌め込み方式コンデンサ
３１８  丸型ネジ式コンデンサ
３１９  六角型ネジ式コンデンサ
３２０  四角型ネジ式コンデンサ
３２１  全自動ロボット家電
３２２  置き型位置連絡装置
３２３  天井固定位置連絡装置
３２４  全自動家電位置連絡送受信装置
３２５  テレビの上に置く位置連絡送受信タイプ
３２６  壁掛け用の全自動ロボット家電送受信システム
３２７  宇宙海底送受信ネット網システム
３２８  音声スイッチ
３２９  指定機種
３３０  メッセージボックス
３３１  予定項目メニユー時間
３３２  部屋指定
３３３  宅配地場産業メニュー
３３４  速度取り締まり地域時間公開
３３５  名所全自動指定カーナビ誘導システム
３３６  ポイント基金参加
３３７  ロボット介護シティマーク
３３８  市町村区無料全自動検診システムセンター
３３９  世界財団加盟ニュース
３４０  回路カメラ標識
３４１  送受信
３４２  水素電子半導体（リチウム水素電子半導体）
３４３  ＡＳＴ  ヒ素三重水素入りシリコン
３４４  ＳＩＴ  三重水素入りシリコン 
３４５  三重水素Ｎ型半導体
３４６  軽水素電子半導体（プロチウム電子半導体）
３４７  ＢＨ軽水素入りホウ素
３４８  ＳＩＨ軽水素入りシリコン
３４９  高出力Ｐ型半導体
３５０  ＡＳＨ  ヒ素軽水素
３５１  高出力軽水素入りＮ型シリコン半導体
３５２  コレクタ電流
３５３  コレクタ（Ｃ）
３５４  エミッタ電流
３５５  ベース（Ｂ）
３５６  高出力Ｎ型シリコン半導体
３５７  高出力Ｐ型シリコン半導体
３５８  高出力トランジスタのＮＰＮ型トランジスタ
３５９  エミッタ（Ｅ）
３６０  高出力一粒ガンマ放射線粒子入り圧電素子ヒ素軽水素シリコンＮ型半導体
３６１  高出力一粒ガンマ放射線粒子入り圧電素子ホウ素軽水素シリコンＰ型半導体
３６２  ガンマ一粒粒子弱放射線又は（軽減放射線）
３６３  高出力六角形状圧電素子連結型発電回路ガンマ放射線一粒粒子入りＮＰＮ型トランジスタ  
３６４  高出力圧電素子粒子入りヒ素軽水素シリコンＮ型半導体
３６５  高出力圧電素子粒子入りホウ素軽水素シリコンＰ型半導体
３６６  高出力六角形状圧電素子連結型発電回路内蔵型ＮＰＮ型トランジスタ
３６７  高出力一粒アルファ放射線粒子入り圧電素子ヒ素水素シリコンＮ型半導体
３６８  高出力一粒アルファ放射線粒子入り圧電素子ホウ素水素シリコンＰ型半導体
３６９  アルファ一粒弱放射線粒子
３７０  高出力六角形状圧電素子連結型発電回路型一粒アルファ放射線粒子入りＮＰＮ型トランジスタ
３７１  ドレイン
３７２  ソース
３７３  ゲート（Ｇ）
３７４  高出力点連結型発電回路
３７５  高出力サイリスタ
３７６  高出力シリコンＮ型半導体
３７７  高出力シリコンＰ型半導体
３７８  高出力一粒アルファ放射線粒子入りＮチャンネルＭＯＳ形ＦＥＴ
３７９  高出力一粒アルファ放射線粒子入りＰチャンネルＭＯＳ形ＦＥＴ
３８０  酸素シリコンシート  酸化窒素酸素シリコンシート
３８１  軽水素シリコンシート  酸化軽水素水銀シリコンシート
３８２  軽水素入り圧電素子シリコンシート  発電回路型
３８３  酸素シリコンシート
３８４  軽水素入り圧電素子発電回路型シリコンシート
３８５  酸素シリコンシート
３８６  窒素酸素シリコンプラス充電池素子体チップ及び窒素酸素シリコンマイナス充電池素子体チップ
３８７  カソード（Ｋ）
３８８  アノード（Ａ）
３８９  高出力一粒アルファ放射線粒子入りサイリスタ
３９０  高出力圧電素子粒子入りヒ素軽水素シリコン発電回路型Ｎ型半導体
３９１  高出力圧電素子粒子入りホウ素軽水素シリコン発電回路型Ｐ型半導体
３９２  高出力六角形状圧電素子連結型発電回路シート内蔵型サイリスタ
３９３  高出力不純物シリコンＮ型半導体
３９４  高出力Ｎ型アルファ一粒粒子シリコン半導体
３９５  高出力Ｎ型ガンマ粒粒子シリコン半導体
３９６  高出力Ｎ型アルファ一粒粒子シリコン不純物半導体
３９７  高出力Ｎ型ガンマシリコン半導体
３９８  高出力Ｐ型ガンマシリコン半導体
３９９  高出力六角形状圧電素子連結発電回路内蔵型フォートダイオード
４００  磁石ボルトナット回転鍵止め装置
４０１  軽水素微量ネオンアルゴンガス入り軽量圧電素子修正電波回路素子
４０２  軽水素アルゴンガス入り圧電素子電波修正回路素子
４０３  竹灰石灰入りグラスファイバー 
４０４  高出力軽量圧電素子電波修正回路素子足部分
４０５  高出力ＩＣ内部
４０６  高出力軽水素入りダイオード
４０７  ＳＩＯ&sup2;
４０８  高出力Ｐ型シリコン基板
４０９  高出力集積回路
４１０  高出力リチウム水素ガス入り圧電素子粒子内蔵Ｐ型液晶半導体
４１１  高出力リチウム水素ガス入り圧電素子粒子内蔵Ｎ型液晶半導体
４１２  高出力リチウム水素ガス入り圧電素子粒子内蔵ＰＮ接合液晶半導体
４１３  高出力リチウム水素ガス入り圧電素子粒子内蔵Ｐ型マグネシウムシリコン半導体
４１４  高出力リチウム水素ガス入り圧電素子粒子内蔵Ｎ型マグネシウムシリコン半導体
４１５  高出力リチウム水素ガス入り圧電素子粒子内蔵ＰＮ接合マグネシウムシリコン半導体
４１６  高出力リチウム水素ガス入り圧電素子粒子内蔵Ｐ型チタン酸バリウムシリコン粒子入りダイオード半導体
４１７  高出力リチウム水素ガス入り圧電素子粒子内蔵Ｎ型チタン酸バリウムシリコン粒子入りダイオード半導体
４１８  高出力リチウム水素ガス入り圧電素子粒子内蔵ＰＮ接合チタン酸バリウムシリコン粒子入りダイオード半導体
４１９  高出力プロチウム軽水素ガス入り圧電素子粒子ガンマ一粒粒子内蔵シリコンＰ型半導体
４２０  高出力プロチウム軽水素ガス入り圧電素子粒子ガンマ一粒粒子内蔵シリコンＮ型半導体
４２１  高出力プロチウム軽水素ガス入り圧電素子粒子ガンマ一粒粒子内蔵ＰＮ接合シリコン半導体
４２２  高出力プロチウム軽水素ガス入り圧電素子粒子ガンマ一粒粒子内蔵ビニールＰ型半導体
４２３  高出力プロチウム軽水素ガス入り圧電素子粒子ガンマ一粒粒子内蔵ビニールＮ型半導体
４２４  高出力プロチウム軽水素ガス入り圧電素子粒子ガンマ一粒粒子内蔵ＰＮ接合ビニール半導体
４２５  高出力プロチウム軽水素ガス入り圧電素子粒子ガンマ一粒粒子内蔵ダイオードＰ型半導体
４２６  高出力プロチウム軽水素ガス入り圧電素子粒子ガンマ一粒粒子内蔵ダイオードＮ型半導体
４２７  高出力プロチウム軽水素ガス入り圧電素子粒子ガンマ一粒粒子内蔵ＰＮ接合ダイオード半導体
４２８  高出力プロチウム軽水素ガス入り圧電素子粒子アルファ一粒粒子内蔵液晶Ｐ型半導体
４２９  高出力プロチウム軽水素ガス入り圧電素子粒子アルファ一粒粒子内蔵液晶Ｎ型半導体
４３０  高出力プロチウム軽水素ガス入り圧電素子粒子アルファ一粒粒子内蔵ＰＮ接合液晶半導体
４３１  高出力プロチウム軽水素ガス入り圧電素子粒子アルファ一粒粒子内蔵マグネシウムシリコンＰ型半導体
４３２  高出力プロチウム軽水素ガス入り圧電素子粒子アルファ一粒粒子内蔵マグネシウムシリコンＮ型半導体
４３３  高出力プロチウム軽水素ガス入り圧電素子粒子アルファ一粒粒子内蔵ＰＮ接合マグネシウムシリコン半導体
４３４  高出力プロチウム軽水素ガス入り圧電素子粒子アルファ一粒粒子内蔵Ｐ型チタン酸バリウムシリコン粒子入りダイオード半導体
４３５  高出力プロチウム軽水素ガス入り圧電素子粒子アルファ一粒粒子内蔵Ｎ型チタン酸バリウムシリコン粒子入りダイオード半導体
４３６  高出力プロチウム軽水素ガス入り圧電素子粒子アルファ一粒粒子内蔵ＰＮ接合チタン酸バリウムシリコン粒子入りダイオード半導体
４３７  高出力リチウム水素ガス入り圧電素子粒子内蔵シリコンＰ型半導体Ｐ型チタン酸バリウムシリコン粒子入りダイオード半導体
４３８  高出力リチウム水素ガス入り圧電素子粒子内蔵シリコンＮ型半導体Ｎ型チタン酸バリウムシリコン粒子入りダイオード半導体
４３９  高出力リチウム水素ガス入り圧電素子粒子内蔵ＰＮ接合シリコン半導体
４４０  高出力リチウム水素ガス入り圧電素子粒子内蔵ビニールＰ型半導体
４４１  高出力リチウム水素ガス入り圧電素子粒子内蔵ビニールＮ型半導体
４４２  高出力リチウム水素ガス入り圧電素子粒子内蔵ＰＮ接合ビニール半導体
４４３  高出力リチウム水素ガス入り圧電素子粒子内蔵ダイオードＰ型半導体
４４４  高出力リチウム水素ガス入り圧電素子粒子内蔵ダイオードＮ型半導体
４４５  高出力リチウム水素ガス入り圧電素子粒子内蔵ＰＮ接合ダイオード半導体
４４６  Ｎ型マグネシウムシリコン半導体
４４７  二種類ＰＮ接合合成シリコン半導体シート
４４８  Ｐ型圧電素子粒子入りシリコン半導体
４４９  Ｎ型軽水素鉛水シリコン半導体
４５０  二種類ＰＮ接合二枚合わせ半導体シート
４５１  Ｐ型圧電素子粒子入りシリコン半導体
４５２  Ｎ型軽水素銅水シリコン半導体
４５３  三種類ＰＮ接合三枚合わせ半導体シート
４５４  Ｐ型圧電素子粒子入りシリコン半導体
４５５  高出力圧電素子三重金属シリコンＰＮ接合軽水素入りシリコン半導体
４５６  Ｎ型リチウム水素ガス入り半導体シート
４５７  水素入りシリコンシート
４５８  Ｐ型リチウム水素ガス入り半導体シート
４５９  Ｎ型リチウム水素ガス入り半導体シート
４６０  水素入りシリコン二枚合わせシート
４６１  Ｐ型リチウム水素ガス圧電素子粒子入り半導体シート
４６２  水素入りシリコン三枚合わせシート
４６３  高出力圧電素子ＰＮ接合水素ガス入りシリコン半導体構造
４６４  Ｎ型軽水素入りシリコン半導体
４６５  Ｐ型軽水素入りシリコン半導体
４６６  温度加熱接着
４６７  二枚合わせシート
４６８  高出力圧電素子ＰＮ接合軽水素入りシリコン半導体構造
４６９  軽水素プロチウムガス入り圧電素子磁石体粒子内蔵型マグネシウムシリコン半導体
４７０  １６分割シリコンウエハー
４７１  アノード（Ａ）
４７２  カソード（Ｋ）
４７３  金属
４７４  高出力Ｎ型半導体
４７５  高出力プロチウム軽水素ガス入り圧電素子磁気ダイオードイオンの流れ
４７６  ドリフト電流
４７７  軽水素ガス入り圧電素子磁石体粒子内蔵ダイオードＮ型半導体
４７８  Ｒ
４７９  抵抗
４８０  銅鉛レアーアース合金
４８１  電池
４８２  順方向電流
４８３  ショットキーバリア高出力ダイオードの説明
４８４  Ｐ型
４８５  Ｎ型
４８６  軽水素入りマイクロシリコン膜
４８７  軽水素ガス入り圧電素子磁石体粒子入りダイオードＰ型半導体
４８８  超高速スイッチングシリコンＰＮ接合ダイオード半導体
４８９  Ｐ型&#8314;
４９０  Ｉ型
４９１  Ｎ型&#8314;
４９２  高出力プロチウム軽水素ガス入り不純物濃高度Ｎ&#8314;型ダイオード半導体
４９３  高出力プロチウム軽水素ガス入り不純物濃高度Ｐ&#8314;型ダイオード
４９４  点状圧電素子四角型磁気ライン
４９５  抵抗
４９６  順方向電流Ａ
４９７  高出力ＰＩＮ接合ダイオード半導体
４９８  軽水素ガス入り圧電素子磁石体粒子ライン入りＮ型シリコン磁性体
４９９  軽水素ガス入り圧電素子磁石体粒子ライン入りＰ型シリコン磁性体
５００  Ｐ型シリコン膜
５０１  高出力ジャクションＦＥＴ
５０２  酸化膜
５０３  合金
５０４  高出力多層Ｎチャンネル層
５０５  高出力軽水素入りＰ型シリコン基板
５０６  複数穴空き通常Ｎ型シリコンシート
５０７  軽水素入りＮ型シリコンシート
５０８  ＭＯＳＦＥＴ金属酸化物トランジスタ半導体
５０９  銅鉛合金
５１０  高出力水素入りエボナイト微粒子不純物Ｎ型シリコン
５１１  通常Ｐ型シリコン
５１２  高出力軽水素入りＮ型シリコン半導体
５１３  高出力トレンチゲートＭＯＳＦＥＴ金属酸化物トランジスタ半導体
５１４  冷却固形物質
５１５  窒素
５１６  高出力プレーナゲートＭＯＳＦＥＴ金属酸化物トランジスタ半導体
５１７  高出力プロチウム軽水素ガス入り圧電素子粒子内蔵Ｐ型シリコン半導体
５１８  高出力プロチウム軽水素ガス入り圧電素子粒子内蔵Ｎ型シリコン半導体
５１９  プラス磁気イオン
５２０  マイナス磁気イオン
５２１  高出力サイリスタ
５２２  ターミナル１（Ｔ１）
５２３  ターミナル２（Ｔ２）
５２４  高出力トライアック
５２５  高出力点状圧電素子連結型発電回路
５２６  水素入り軽量圧電素子入りシリコン
５２７  軽水素入り軽量圧電素子入りシリコン
５２８  光
５２９  空乏層
５３０  高出力高電圧  大電流サイリスタＧＴＯ
５３１  高出力高電圧  ＬＴＴ
５３２  高出力ソーラーパネル充電型六角形状圧電素子発電回路型レールモータードリル
５３３  レンズ
５３４  高出力六角形状圧電素子連結発電回路型レールモーター
５３５  プラスチックゴム補助カバー溶着方式
５３６  プラスチックゴム手カバー溶着方式
５３７  リングナット
５３８  プラス充電池
５３９  マイナス充電池
５４０  蝶番装置
５４１  八角軸
５４２  突起
５４３  竹灰フッ素入りビニールシート
５４４  砂鉄粒子フッ素入りプラスチックガラスシート
５４５  石炭灰フッ素入りグラスフアィバーシート
５４６  生塵灰フッ素入りグラスファィバーシート
５４７  粘土フッ素入りグラスファィバーシート
５４８  黒土フッ素入りグラスファィバーシート
５４９  鹿沼土フッ素入りグラスファィバーシート
５５０  石灰フッ素入りプラスチックシート
５５１  竹灰フッ素入りプラスチックシート
５５２  高出力六角形状圧電素子連結発電回路型ソーラーパネル人工衛星
５５３  高出力山岳ヘリコプター
５５４  全自動バックホー
５５５  ７箇所位置全自動確認装置
５５６  高出力一粒ガンマ放射線粒子入りサイリスタ
５５７  冷蔵庫
５５８  全自動家電ライトシステム
５５９  二重発光ライトパネル部分
５６０  全自動家電冷蔵庫前突起上部分
５６１  全自動家電冷蔵庫前突起下部分
５６２  前突起部分
５６３  斜正面ライト光仕切ライトパネル
５６４  全自動移動家電
５６５  一階二階共同使用全自動移動冷蔵庫
５６６  一階天井部分
５６７  二階天井部分
５６８  高出力六角形状圧電素子連結発電回路型コイル無レールモーター
５６９  高出力六角形状圧電素子連結発電回路型コイル無レールモーター仕切弁装置
５７０  高出力マイク
５７１  画像パネル
５７２  ドア持ち手
５７３  クッション三色ビニールプラスチック三層ゴム
５７４  高出力スピーカー
５７５  全自動組み立て家電位置認証確認確定装置Ａ
５７６  圧電素子黒色三角形突起部分
５７７  鉛ペーパー部分
５７８  圧電素子黄色円形突起部分
５７９  アルミニウムペーパー部分
５８０  圧電素子青色六角形突起部分
５８１  銅ペーパー部分
５８２  圧電素子赤色四角形突起部分
５８３  鉄ペーパー部分
５８４  下がって入る構造
５８５  全自動組み立て家電位置認証確認確定装置Ｂ
５８６  鉛ペーパーライン部分
５８７  二重発光ライト部分
５８８  アルミニウムペーパーライン部分
５８９  圧電素子磁力線穴部分
５９０  銅ペーパーライン部分
５９１  鉄ペーパーライン部分
５９２  室内壁取り付け型各種電波位置受信装置
５９３  天井三角点位置全自動確認連絡装置
５９４  室内電波ホース位置確認システム
５９５  ニャンワン全自動掃除機他ビル等のＷ前後左右吸引掃除機
５９６  前部分吸引装置
５９７  後部吸引装置
５９８  左側吸引装置
５９９  右側吸引装置
６００  吸引ファン
６０１  高出力電磁石塵二重ボックス押し出し装置        モーターカップ全自動塵投げ装置
６０２  スクリュー官塵起こし送風官
６０３  Ｗ吸引装置
６０４  カーペットの塵をスクリュー風で起こして強力吸引出来る掃除機口
６０５  室内位置左
６０６  室内位置右
６０７  前後左右ライトカメラ
６０８  四か所室内位置確認装置
６０９  全自動位置高出力縄型モーター官
６１０  マイナス温風冷風磁力線
６１１  プラス温風冷風磁力線
６１２  塵二重ボックス
６１３  モーター梯子塵捨て全自動装置
６１４  圧電素子磁石体粒子ライン入りガラス
６１５  二層回路配線基板
６１６  高速二層回路配線
６１７  アルミニウム
６１８  軽水素入り圧電素子磁石体粒子配線
６１９  高出力六角形状圧電素子連結型発電回路
６２０  回路装置
６２１  ビニールゴム基板部分
６２２  竹灰入りガラス基板部分
６２３  回路基板
６２４  ＧＰＳ
６２５  全自動ロボット
６２６  第一ＧＰＳ位置送受信装置
６２７  第二ＧＰＳ位置送受信装置
６２８  第三ＧＰＳ位置送受信装置
６２９  第四ＧＰＳ位置送受信装置
６３０  第五ＧＰＳ位置送受信装置
６３１  第六ＧＰＳ位置送受信装置
６３２  第七ＧＰＳ位置送受信装置
６３３  第八ＧＰＳ位置送受信装置
６３４  第九ＧＰＳ位置送受信装置
６３５  第一収納ライトカメラ
６３６  第二収納ライトカメラ
６３７  第三収納ライトカメラ
６３８  第四収納ライトカメラ
６３９  第五収納ライトカメラ
６４０  第六収納ライトカメラ
６４１  宇宙最少ロボットロケットの停止方法１
６４２  第一Ｓ電磁石から第十六Ｓ電磁石
６４３  第一Ｎ電磁石から第十六Ｎ電磁石
６４４  停止空間
６４５  第一Ｎ電磁石
６４６  第二Ｎ電磁石
６４７  第三Ｎ電磁石
６４８  第四Ｎ電磁石
６４９  第五Ｎ電磁石
６５０  第六Ｎ電磁石
６５１  第七Ｎ電磁石
６５２  第八Ｎ電磁石
６５３  第九Ｎ電磁石
６５４  第十Ｎ電磁石
６５５  第十一Ｎ電磁石
６５６  第十二Ｎ電磁石
６５７  第一Ｓ電磁石
６５８  第二Ｓ電磁石
６５９  第三Ｓ電磁石
６６０  第四Ｓ電磁石
６６１  第五Ｓ電磁石
６６２  第六Ｓ電磁石
６６３  第七Ｓ電磁石
６６４  第八Ｓ電磁石
６６５  第九Ｓ電磁石
６６６  第十Ｓ電磁石
６６７  第十一Ｓ電磁石
６６８  第十二Ｓ電磁石
６６９  宇宙最少ロボットロケットの停止方法２
６７０  水素磁力線シールドバリア酸素吸収ゾーン
６７１  スクリュー磁力線酸素ス凸プエアーライン
６７２  高出力Ｎ連結電磁石磁力線融合ス凸プ装置
６７３  高出力Ｓ連結電磁石磁力線融合ス凸プ装置
６７４  全自動システム位置距離関係パート１
６７５  第一山岳ヘリコプタースクリュー山岳無線波中継計測装置
６７６  第二山岳ヘリコプタースクリュー山岳無線波中継計測装置
６７７  第一カメラ焦点距離全自動計測装置
６７８  第二カメラ焦点距離全自動計測装置
６７９  第三カメラ焦点距離全自動計測装置
６８０  第四カメラ焦点距離全自動計測装置
６８１  被写体Ａ
６８２  被写体Ｂ
６８３  被写体Ｃ
６８４  第一カラーライトライン装置
６８５  第二カラーライトライン装置
６８６  第三カラーライトライン装置
６８７  第四カラーライトライン装置
６８８  Ａ電波送受信ライン
６８９  Ｂ電波送受信ライン
６９０  Ｃ電波送受信ライン
６９１  Ｄ電波送受信ライン
６９２  Ｅ電波送受信ライン
６９３  Ｆ電波送受信ライン
６９４  Ｇ電波送受信ライン
６９５  Ｈ電波送受信ライン
６９６  Ｉ電波送受信ライン
６９７  Ｊ電波送受信ライン
６９８  Ｋ電波送受信ライン
６９９  Ｌ電波送受信ライン
７００  Ｍ電波送受信ライン
７０１  Ｎ電波送受信ライン
７０２  第一カメラ
７０３  第二カメラ
７０４  第三カメラ
７０５  第四カメラ
７０６  全自動システム位置距離関係パート２
７０７  第三山岳ヘリコプタースクリュー山岳無線波中継計測装置
７０８  第四山岳ヘリコプタースクリュー山岳無線波中継計測装置
７０９  第一Ａカメラ焦点距離全自動計測装置
７１０  第二Ａカメラ焦点距離全自動計測装置
７１１  第三Ａカメラ焦点距離全自動計測装置
７１２  第四Ａカメラ焦点距離全自動計測装置
７１３  被写体ＡＢ
７１４  被写体ＡＢＣ
７１５  被写体ＡＢＣＤ
７１６  第一Ａカラーライトライン装置
７１７  第二Ａカラーライトライン装置
７１８  第三Ａカラーライトライン装置
７１９  第四Ａカラーライトライン装置
７２０  ＡＡ電波送受信ライン
７２１  ＡＢ電波送受信ライン
７２２  ＡＣ電波送受信ライン
７２３  ＡＤ電波送受信ライン
７２４  ＡＥ電波送受信ライン
７２５  ＡＦ電波送受信ライン
７２６  ＡＧ電波送受信ライン
７２７  ＡＨ電波送受信ライン
７２８  ＡＩ電波送受信ライン
７２９  ＡＪ電波送受信ライン
７３０  ＡＫ電波送受信ライン
７３１  ＡＬ電波送受信ライン
７３２  ＡＭ電波送受信ライン
７３３  ＡＮ電波送受信ライン
７３４  第一Ａカメラ
７３５  第二Ａカメラ
７３６  第三Ａカメラ
７３７  第四Ａカメラ
７３８  植物の品種改良の有り方
７３９  磁力線配線
７４０  電気磁力線変換装置
７４１  ガンマ放射線粒入りプラスチックビニール放射線放射パネル
７４２  六角形状圧電素子磁力線発射装置
７４３  高出力軽水素入り圧電素子磁力線電気変換装置
７４４  磁力線電気吸収板
７４５  植物の種
７４６  高出力六角形状圧電素子連結型発電回路
７４７  高出力六角形状圧電素子連結型発電回路磁力線製造装置
７４８  植物の種の品種改良手段静電気ガンマ粒子放射線品種改良装置
７４９  片側の電気のみを通しながら片側静電放射装置
７５０  プラス静電放射装置
７５１  マイナス静電放射装置
７５２  プラス静電放射装置
７５３  マイナス静電放射装置
７５４  プラス静電気作成装置
７５５  マイナス静電電気作成装置
７５６  電気切り替え装置
７５７  圧電素子磁石体部分
７５８  全自動海上ソナー山岳無線波送受信位置確認認識作動システム装置
７５９  第一高出力六角形状圧電素子連結型発電回路内蔵型コイル無レールモータースクリュー装置
７６０  第二高出力六角形状圧電素子連結型発電回路内蔵型コイル無レールモータースクリュー装置
７６１  第三高出力六角形状圧電素子連結型発電回路内蔵型コイル無レールモータースクリュー装置
７６２  第四高出力六角形状圧電素子連結型発電回路内蔵型コイル無レールモータースクリュー装置
７６３  第一位置送受信確認装置
７６４  第二位置送受信確認装置
７６５  第三位置送受信確認装置
７６６  第四位置送受信確認装置
７６７  第一アンテナ
７６８  第二アンテナ
７６９  スクリュー羽根装置
７７０  浮上用竹灰入り発砲スチロール部分
７７１  スクリューソナー波山岳ヘリスクリュー無線波変換装置
７７２  重心調整用スクリューソナー波送受信装置
７７３  取り付け金具配線
７７４  高出力昇降位置調整用スクリュー装置
７７５  高出力水平位置確認認識装置
７７６  全自動段数ソナー山岳無線波送受信システム装置
７７７  第一昇降用高出力発電回路型コイル無レールモータースクリューシステム装置
７７８  第二昇降用高出力発電回路型コイル無レールモータースクリューシステム装置
７７９  第三昇降用高出力発電回路型コイル無レールモータースクリューシステム装置
７８０  第四昇降用高出力発電回路型コイル無レールモータースクリューシステム装置
７８１  第一水中全自動水平位置調整モータースクリュー装置
７８２  第二水中全自動水平位置調整モータースクリュー装置
７８３  第三水中全自動水平位置調整モータースクリュー装置
７８４  第四水中全自動水平位置調整モータースクリュー装置
７８５  スクリューソナー波送受信装置
７８６  スクリューソナー波
７８７  水平バランス補助調整モーター
７８８  全自動サイド段数ソナー山岳無線波送受信システム装置
７８９  サイド水平スクリューソナー波
７９０  第五水中全自動位置調整モータースクリュー装置
７９１  第六水中全自動位置調整モータースクリュー装置
７９２  第七水中全自動位置調整モータースクリュー装置
７９３  第八水中全自動位置調整モータースクリュー装置
７９４  海底高出力レールモーター移動装置
７９５  スクリューソナー無線昇降波受信パネル
７９６  スクリューソナー無線昇降波発射装置
７９７  水中アンテナ送受信装置
７９８  銅鉄鉛アルミニウム合金シート電波送電体
７９９  軽水素入り圧電素子電波受信体
８００  スクリューソナー波圧電素子鉛アルミニウムカバー発射装置
８０１  ボルト穴装置
８０２  留め金具装置
８０３  軽水素圧電素子磁石体粒子入りプラスチックアクリル樹脂アンテナ素子防護体カバー装置
８０４  軽水素入り圧電素子磁石体粒子部分
８０５  固定用ステンレス銅合金ピン
８０６  プラスチックアクリル樹脂シート部分
８０７  打ちピン穴
８０８  銅鉄鉛合金ピン
８０９  ダブルナット部分
８１０  高出力圧電素子連結型コイル無レールモータースクリュー装置
８１１  水止め突起部分
８１２  ５枚スクリュー羽根装置
８１３  高出力６角形状圧電素子連結発電回路型イオン電磁誘導発電装置
８１４  高出力六角形状圧電素子連結発電回路型コイル無レールモーター
８１５  高出力電磁誘導発電装置
８１６  アルミニウム磁力線絶縁カバー
８１７  高出力コイル無しレールモーター部分
８１８  磁力線圧電素子イオン電子打撃発電装置
【図１】
0003217135.tif 000003
【図２】
0003217135.tif 000004
【図３】
0003217135.tif 000005
【図４】
0003217135.tif 000006
【図５】
0003217135.tif 000007
【図６】
0003217135.tif 000008
【図７】
0003217135.tif 000009
【図８】
0003217135.tif 000010
【図９】
0003217135.tif 000011
【図１０】
0003217135.tif 000012
【図１１】
0003217135.tif 000013
【図１２】
0003217135.tif 000014
【図１３】
0003217135.tif 000015
【図１４】
0003217135.tif 000016
【図１５】
0003217135.tif 000017
【図１６】
0003217135.tif 000018
【図１７】
0003217135.tif 000019
【図１８】
0003217135.tif 000020
【図１９】
0003217135.tif 000021
【図２０】
0003217135.tif 000022
【図２１】
0003217135.tif 000023
【図２２】
0003217135.tif 000024
【図２３】
0003217135.tif 000025
【図２４】
0003217135.tif 000026
【図２５】
0003217135.tif 000027
【図２６】
0003217135.tif 000028
【図２７】
0003217135.tif 000029
【図２８】
0003217135.tif 000030
【図２９】
0003217135.tif 000031
【図３０】
0003217135.tif 000032
【図３１】
0003217135.tif 000033
【図３２】
0003217135.tif 000034
【図３３】
0003217135.tif 000035
【図３４】
0003217135.tif 000036
【図３５】
0003217135.tif 000037
【図３６】
0003217135.tif 000038
【図３７】
0003217135.tif 000039
【図３８】
0003217135.tif 000040
【図３９】
0003217135.tif 000041
【図４０】
0003217135.tif 000042
【図４１】
0003217135.tif 000043
【図４２】
0003217135.tif 000044
【図４３】
0003217135.tif 000045
【図４４】
0003217135.tif 000046
【図４５】
0003217135.tif 000047
【図４６】
0003217135.tif 000048
【図４７】
0003217135.tif 000049
【図４８】
0003217135.tif 000050
【図４９】
0003217135.tif 000051
【図５０】
0003217135.tif 000052
【図５１】
0003217135.tif 000053
【図５２】
0003217135.tif 000054
【図５３】
0003217135.tif 000055
【図５４】
0003217135.tif 000056
【図５５】
0003217135.tif 000057
【図５６】
0003217135.tif 000058
【図５７】
0003217135.tif 000059
【図５８】
0003217135.tif 000060
【図５９】
0003217135.tif 000061
【図６０】
0003217135.tif 000062
【図６１】
0003217135.tif 000063
【図６２】
0003217135.tif 000064
【図６３】
0003217135.tif 000065
【図６４】
0003217135.tif 000066
【図６５】
0003217135.tif 000067
【図６６】
0003217135.tif 000068
【図６７】
0003217135.tif 000069
【図６８】
0003217135.tif 000070
【図６９】
0003217135.tif 000071
【図７０】
0003217135.tif 000072
【図７１】
0003217135.tif 000073
【図７２】
0003217135.tif 000074
【図７３】
0003217135.tif 000075
【図７４】
0003217135.tif 000076
【図７５】
0003217135.tif 000077
【図７６】
0003217135.tif 000078
【図７７】
0003217135.tif 000079
【図７８】
0003217135.tif 000080
【図７９】
0003217135.tif 000081
【図８０】
0003217135.tif 000082
【図８１】
0003217135.tif 000083
【図８２】
0003217135.tif 000084
【図８３】
0003217135.tif 000085
【図８４】
0003217135.tif 000086
【図８５】
0003217135.tif 000087
【図８６】
0003217135.tif 000088
【図８７】
0003217135.tif 000089
【図８８】
0003217135.tif 000090
【図８９】
0003217135.tif 000091
【図９０】
0003217135.tif 000092
【図９１】
0003217135.tif 000093
【図９２】
0003217135.tif 000094
【図９３】
0003217135.tif 000095
【図９４】
0003217135.tif 000096
【図９５】
0003217135.tif 000097
【図９６】
0003217135.tif 000098
【図９７】
0003217135.tif 000099
【図９８】
0003217135.tif 000100
【図９９】
0003217135.tif 000101
【図１００】
0003217135.tif 000102
【図１０１】
0003217135.tif 000103
【図１０２】
0003217135.tif 000104
【図１０３】
0003217135.tif 000105
【図１０４】
0003217135.tif 000106
【図１０５】
0003217135.tif 000107
【図１０６】
0003217135.tif 000108
【図１０７】
0003217135.tif 000109
【図１０８】
0003217135.tif 000110
【図１０９】
0003217135.tif 000111
【図１１０】
0003217135.tif 000112
【図１１１】
0003217135.tif 000113
【図１１２】
0003217135.tif 000114
【図１１３】
0003217135.tif 000115
【図１１４】
0003217135.tif 000116
【図１１５】
0003217135.tif 000117
【図１１６】
0003217135.tif 000118
【図１１７】
0003217135.tif 000119
【図１１８】
0003217135.tif 000120
【図１１９】
0003217135.tif 000121
【図１２０】
0003217135.tif 000122
【図１２１】
0003217135.tif 000123
【図１２２】
0003217135.tif 000124
【図１２３】
0003217135.tif 000125
【図１２４】
0003217135.tif 000126
【図１２５】
0003217135.tif 000127
【図１２６】
0003217135.tif 000128
【図１２７】
0003217135.tif 000129
【図１２８】
0003217135.tif 000130
【図１２９】
0003217135.tif 000131
【図１３０】
0003217135.tif 000132
【図１３１】
0003217135.tif 000133
【図１３２】
0003217135.tif 000134
【図１３３】
0003217135.tif 000135
【図１３４】
0003217135.tif 000136
【図１３５】
0003217135.tif 000137